(57)【要約】情報記録再生装置（Ａｒｐ）において、予約記録設定特定器（１、Ａｓ）は情報の配信日、配信時刻、配信源、および情報記録器（ＢＤ）を特定し、予約記録設定表示器（８）は予約記録設定（Ａｓ）を二次元マトリックス（７）上に表示し、予約記録設定特定器（２０）は二次元マトリックス上に表示された予約記録設定（Ａｓ）の個々（８）を特定し、予約記録設定表示器（３０）は特定された予約記録設定（Ａｓ）を表示し、予約記録設定編集器（３０）は予約記録設定（Ａｓ）を編集する。
2004088980.tif 000002
【特許請求の範囲】
【請求項１】
所定の時刻に所定の配信源から配信される情報を、配信時刻の前に決定された予約記録設定に基づいて、所定の情報記録手段に予約記録する情報記録再生装置であって、
前記情報を記録再生する記録再生手段と、
前記予約記録設定として、前記情報の配信日、配信時刻、配信源、および情報記録手段を特定する予約記録特定手段と、
前記予約記録設定を前記配信日および前記情報記録手段と、前記配信時刻とで規定される二次元マトリックス上に表示する予約記録設定表示手段と、
前記二次元マトリックス上に表示された前記予約記録設定の個々を特定する予約記録設定特定手段と、
前記特定された予約記録設定を表示する予約記録設定表示手段と、
前記表示された予約記録設定を編集する予約記録設定編集手段と備える情報記録再生装置。
【請求項２】
前記予約記録設定の少なくとも２つが、前記配信日および前記配信時刻の少なくとも一部が重複する場合には、当該予約記録設定が重複していることを警告表示する予約設定重複表示手段を備える請求項１に記載の情報記録再生装置。
【請求項３】
前記予約設定重複表示手段は、表示デザインおよび表示色の何れかを変化させることにより前記警告表示を行うことを特徴とする請求項２に記載の情報記録再生装置。
【請求項４】
前記予約設定重複表示手段は、前記予約記録設定が重複している個数を表示することを特徴とする請求項３に記載の情報記録再生装置。
【請求項５】
前記予約記録設定の内で、予約記録が実行中のものを、予約記録が実行中でないものと識別表示する実行中予約記録設定表示手段をさらに備える請求項１に記載の情報記録再生装置。
【請求項６】
前記予約記録設定の内で、予約記録が既に完了しているものを、予約記録が完了していないものと識別表示する完了予約記録設定表示手段をさらに備える請求項１に記載の情報記録再生装置。
【請求項７】
前記予約記録設定表示手段は、前記予約記録設定の配信日の入力および変更の何れかを実現するためにカレンダー表示から所望の日付を選択入力できることを特徴とする請求項５に記載の情報記録再生装置。
【請求項８】
前記記録再生手段の少なくとも１台は、当該情報記録再生装置に対して外部接続されることを特徴とする請求項１に記載の情報記録再生装置。
【請求項９】
前記配信時刻の変更に応じて、自動的に最適な記録再生手段を見つけて、予約記録設定を変更する自動予約記録設定変更手段をさらに備える請求項１に記載の情報記録再生装置。
【請求項１０】
前記予約記録設定表示手段は、個々の予約記録設定が前記予約記録設定特定手段に特定された時に、自動的にポップアップ表示されることを特徴とする請求項１に記載の情報記録再生装置。
【請求項１１】
１つの録画機器において並列処理動作させて複数データ記録を行う複数データ同時記録手段をさらに備える請求項１に記載の情報記録再生装置。
【請求項１２】
電子番組表へ移行する電子番組表移行手段と、
電子番組表での予約選択を実行することで前記電子番組表の設定内容を反映させ、各種電子番組表の番組タイトルやステレオ等の情報データを設定記録できる電子番組表データ設定手段とをさらに備える請求項１に記載の情報記録再生装置。
【請求項１３】
前記情報記録手段に関する既存の予約記録設定に基づいて、新たなる予約記録設定に対して、最適な記録再生手段が選択される自動予約記録設定生成手段を備える請求項１に記載の情報記録再生装置。
【請求項１４】
前記最適な記録再生手段はネットワークに接続されていることを特徴とする請求項１３に記載の情報記録再生装置。
【請求項１５】
前記情報記録手段と前記記録再生手段との組み合わせに起因するハードウェアの制約を最適化するよう予約記録設定を再構築する自動記録再設定手段を備える請求項１に記載の情報記録再生装置。
【請求項１６】
新規記録予約設定において前記予約記録特定手段において、前記配信日、前記配信時刻、および前記配信源を特定すれば、自動的に最適な予約記録設定を生成する自動記録設定手段を備える請求項１に記載の情報記録再生装置。
【請求項１７】
前記情報を正常に記録できない状態である場合、当該情報の記録先を他の録画機器メディアや他の機器のメディアに回避させる予約記録設定変更手段をさらに備える請求項１に記載の情報記録再生装置。
【請求項１８】
前記予約記録が完了した情報に対して、再生、削除、およびダビングの何れかを行えるメニュー手段を備える請求項１に記載の情報記録再生装置。
【請求項１９】
前記予約記録実行中の情報に対して、同時記録再生が行えるメニュー手段をさらに備える請求項１に記載の情報記録再生装置。
【請求項２０】
前記記録再生手段の記録可能容量を検出する残容量検出手段と、
前記検出された残容量が前記予約設定に特定される記録時間が短い時には、記録不可の警告を表示する記録可否判定手段とをさらに備える請求項１に記載の情報記録再生装置。
【請求項２１】
前記残容量が前記予約設定に特定される記録時間より短い時には、前記残容量で記録できる限度だけ予約記録を設定する予約記録最適化手段をさらに備える請求項２０に記載の情報記録再生装置。
【発明の詳細な説明】
【技術分野】  本発明は、情報記録再生装置およびその記録システムに関し、さらに詳述すれば、情報の予約記録の設定方法に関する。
【背景技術】  従来の情報記録再生装置およびその記録システムにおいて、情報を予約記録する場合の動作について、テレビなどの録画再生装置による番組の予約録画を例に簡単に説明する。予約録画の際には、ユーザは録画再生装置を操作して、先ず、新規番組録画予約入力画面を呼び出す。そして、ユーザは呼び出した新規番組録画予約入力画面において、入力を促されている予約録画に必要な諸条件を入力する。その後、ユーザは、さらに、録画再生装置を操作して、番組録画予約確認画面を呼び出して、新規番組録画予約入力画面を利用して行った録画予約の内容が正しいか否かを確認する。
番組録画予約確認画面においては、通常、録画予約された番組は、それぞれ番組録画予約開始時間順にソートされた一覧表形式で文字表示される。また、特開平０６−１１８１８５号公報において、一覧表形式以外にも予約表形式で文字表示されるものが提案されている。さらに、予約表形式であるが、重複予約時や短い時間帯において操作表示域が重ねて文字表示されるものが特開２０００−２７８６３９号公報に提案されている。
なお、新規番組録画予約画面および番組録画予約一覧画面を用いる録画予約動作は、録画再生装置そのものを操作することなく、液晶付リモコン等に必要事項を入力して、録画再生装置に転送することによっても実現出来る。
【発明の開示】
しかしながら、上述の録画再生装置に代表される情報記録再生装置において用いられる番組録画予約確認画面では、以下に述べるような問題がある。
録画予約した番組が一覧表形式で表示される場合には、同一の番組を重複して録画予約してしまう、いわゆる重複番組録画予約が一目で分かり難い。また、ユーザは、表示されている文字を追って予約状況を確認するために、予約を見落とし易い。そのために、大切な番組録画予約を、重複設定や設定間違いや設定忘れにより失敗させる可能性が高い。
また、特開平０６−１１８１８５号公報に提案されている予約表形式の場合は、一覧表形式を予約表形式にしただけである。それ故に、複数の独立した録画機器が直接、あるいはネットワークを介して接続された録画再生装置の番組録画予約には対応できない。
また、上述の特開２０００−２７８６３９号公報に提案されている予約表形式の場合も、やはり独立した複数の録画機器を備えた録画再生装置の番組録画予約には対応できない。つまり、重複予約時や短い時間帯において、操作表示域を重ねて表示させ、順次選択して最前面へ表示させたり操作させたりするが、重複予約等が多数重なった場合には表示画面上に表示しきれなくなる。それゆえに、録画予約の確認に用いるには、表示項目や情報あるいは表示方法に何かの制限をかけなければならない。また、独立した複数の録画機器、あるいはネットワーク接続されている録画機器に関しても、その存在は表示されてはいるが、それらに跨って録画するなどの方法については、何ら考慮されていない。
なお、テレビなどの録画再生装置による番組の予約録画を例に説明したが、上述の問題点は、基本的に所定の時刻に配信される情報の記録を、配信時刻の前に予約設定できる情報記録再生装置に共通の課題である。また、再生機能を有しない情報記録装置においても同様であることは言うまでもない。
よって、本発明は、上記従来の録画再生装置における問題に鑑み、番組録画予約が一目でわかり易く、重複設定や設定間違いや設定忘れ等の原因により大切な番組録画予約を失敗することがなく、仮に重複予約した場合にはその事が認識し易い表示形態を提供することでユーザに注意喚起させることができる情報記録再生装置およびその記録方法を提供することを目的とする。また、独立した複数の記録機器を備えた録画機器や、複数の記録メディアを有する独立した記録機器や、ネットワーク接続された録画機器による番組録画予約の設定の煩わしさや誤設定を軽減し、極力自動的に最適な番組録画予約設定を実現する情報記録再生装置と情報記録システムを提供することを目的とする。
所定の時刻に所定の配信源から配信される情報を、配信時刻の前に決定された予約記録設定に基づいて、所定の情報記録手段に予約記録する情報記録再生装置は、
前記情報を記録再生する記録再生手段と、
前記予約記録設定として、前記情報の配信日、配信時刻、配信源、および情報記録手段を特定する予約記録設定特定手段と、
前記予約記録設定を前記配信日および前記情報記録手段と、前記配信時刻とで規定される二次元マトリックス上に表示する予約記録設定表示手段と、
前記二次元マトリックス上に表示された前記予約記録設定の個々を特定する予約記録設定特定手段と、
前記特定された予約記録設定を表示する予約記録設定表示手段と、
前記表示された予約記録設定を編集する予約記録設定編集手段とを備える。
上述のように、本発明によれば、予約記録設定が二次元マトリックス上に展開表示されるので、予約の重複が発生した場合には、容易に認識できる。
【図面の簡単な説明】  図１は、本発明の第１の実施の形態にかかる情報記録再生装置の構成を示すブロック図である。
図２は、図１に示した情報記録再生装置における録画予約設定画面の一例を示す図である。
図３は、図２に示した録画予約設定画面で、予約されている部分を指定したときにポップアップメニューが表示される様子を示す図である。
図４は、図３に示したポップアップメニューの拡大図である。
図５は、図１に示した情報記録再生装置における録画予約動作を示すフローチャートである。
図６は、図１に示した情報記録再生装置における、記録媒体の残容量を検出しない場合の録画予約動作を示すフローチャートである。
図７は、図１に示した新規記録設定情報入力器に含まれる要素の一例を示す図である。
図８は、図１に示した情報記録再生装置における、録画予約変更処理動作を示すフローチャートである。
図９は、図１に示した情報記録再生装置における、記録設定情報表示器に含まれる要素の一例を示す図である。
図１０は、本発明の第２の実施の形態にかかる情報記録再生装置の構成を示すブロック図である。
図１１は、図１０に示した情報記録再生装置における録画予約設定画面の一例を示す図である。
図１２は、図１０に示した録画予約設定画面で、予約されている部分を指定したときにポップアップメニューが表示される様子を示す図である。
図１３は、図１２に示したポップアップメニューの拡大図である。
図１４は、図１０に示した情報記録再生装置がスレーブ機として機能する際の必要な構成を示すブロック図である。
図１５は、図１０に示した情報記録再生装置の録画予約動作を示すフローチャートである。
図１６は、図１０に示した情報記録再生装置がマスター機として機能する際の録画予約動作を示すフローチャートである。
図１７は、図１４に示した情報記録再生装置の録画予約動作を示すフローチャートである。
図１８は、図１０に示した情報記録再生装置の模式的構成図である。
図１９は、図１０に示した情報記録再生装置における記録機器の選択優先順位の一例を示す図である。
【発明を実施するための最良の形態】  （第１の実施の形態）
以下に、図１〜図９を参照して、第１の実施形態にかかる情報記録再生装置について説明する。本実施形態にかかる情報記録再生装置は、記録装置を１つ備えると共に、他の情報記録再生装置等と接続されることなく単独で用いられるものである。このようなものとしては、ネットワークや配線を介して他の録画装置に接続されていない、録画機能を搭載したテレビ等が当てはまる。本実施形態においては、情報記録再生に用いる手段としてＤＶＤ−ＲＡＭを記録メディアとして用いるＤＶＤレコーダが１台だけ接続、あるいは組み込まれたテレビを具体例として詳細に説明する。
図１に、本発明の実施の形態にかかる情報記録再生装置の構成を示す。情報記録再生装置Ａｒｐ１は、新規記録設定情報入力器１００、記録設定情報記憶器１０１ａ、表示器１０２、情報記録制御器１０３ａ、記録再生器１０４、重複設定検出器１０００ａ、残容量検出器１００１ａ、記録設定情報表示器１００２、チューナ１００３、ＡＶデータ制御器１００４、およびＮＷ機器ＡＶ受信器１００５を含む。
新規記録設定情報入力器１００は、リモコンやキーボード等の入力機器で構成されて、ユーザの操作に基づいて、情報記録再生装置Ａｒｐ１に対する録画予約指示を受け付ける。新規記録設定情報入力器１００は、受け付けた録画予約指示に基づいて、予約データＩｒを生成する。
重複設定検出器１０００ａは、情報記録再生装置Ａｒｐ１での重複予約の発生を検出する機能を有する。具体的には、新規記録設定情報入力器１００から出力された予約データＩｒに応答して、記録設定情報記憶器１０１ａに対して予約状況データＩｒｒを要求する予約状況データ要求コマンドＣｒｓを出力する。
記録設定情報記憶器１０１ａは、情報記録再生装置Ａｒｐ１に登録されている録画予約情報を記録しているデータベースである。記録設定情報記憶器１０１ａは、重複設定検出器１０００ａから出力された予約状況データ要求コマンドＣｒｓに応答して、対応時間帯での登録録画予約情報Ｉｒｒを重複設定検出器１０００ａに出力する。
重複設定検出器１０００ａは、予約データＩｒと登録録画予約情報Ｉｒｒを比較して、重複予約の発生の有無を判断する。そして、重複予約が発生しないと判断した場合には、予約データＩｒを記録設定情報記憶器１０１ａに出力する。一方、重複予約が発生すると判断した場合は、重複予約検出情報Ｉｒｄを生成して情報記録制御器１０３ａに出力する。
記録設定情報記憶器１０１ａは、重複設定検出器１０００ａから出力された予約データＩｒに基づいて、自身の録画予約情報データベースを更新する。記録設定情報記憶器１０１ａは、情報記録制御器１０３ａに対して、録画予約情報データベースに登録されている録画予約情報を逐次出力する。
チューナ１００３は、放送局などの外部の情報源から供給される情報（例えば、放送番組）を受信して、ＡＶデータＤａｖ１を生成する。ＡＶデータＤａｖ１は、ＡＶデータ制御器１００４に出力される。
ＮＷ機器ＡＶ受信器１００５は、ネットワークなど介して外部のＡＶ機器や記録装置などの情報源に接続されている。そして、ＮＷ機器ＡＶ受信器１００５は、外部の情報源から供給されるＡＶデータＤａｖ２をＡＶデータ制御器１００４に出力する。
ＡＶデータ制御器１００４は、チューナ１００３およびＮＷ機器ＡＶ受信器１００５から入力されるＡＶデータＤａｖ１およびＡＶデータＤａｖ２のＡＶデータの属性（例えば、ビットレート）を取得して、ＡＶデータ属性情報を生成する。ＡＶデータ制御器１００４は、情報記録制御器１０３ａから出力されるＡＶ制御信号Ｃａｖに基づいて、ＡＶデータＤａｖ１およびＡＶデータＤａｖ２を適時、記録再生器１０４に記録させる。なお、今後特に必要がない限りＡＶデータＤａｖ１およびＡＶデータＤａｖ２をＡＶデータＤａｖと総称する。
ＡＶデータ制御器１００４は、さらにＡＶデータＤａｖに基づいて、記録再生器１０４に記録されているＡＶデータＤａｖを読み出す。そして、読み出したＡＶデータＤａｖは、ＮＷ機器ＡＶ受信器１００５を介して外部のＡＶ機器や記録装置等に供給する。
残容量検出器１００１ａは、記録再生器１０４に備えられた情報記録媒体（本実施形態においては、ＤＶＤ−ＲＡＭ）の記録容量の記録されていない量、つまりまだ記録できるデータ量を検出して残容量情報Ｉｒｖを生成して格納する。なお、残容量情報Ｉｒｖの生成は、以下のごとく実行される。まず、残容量検出器１００１が残容量コマンドＣＲｖを情報記録制御器１０３ａに出力し、情報記録制御器１０３ａがＡＶデータ制御器１００４に、記録再生器１０４の記録可能容量を問い合わせる。そして、ＡＶデータ制御器１００４は、記録再生器１０４に対するＡＶデータＤａｖの記録および読み出しの課程で管理している記録再生器１０４の記録可能容量を、残容量情報Ｉｒｖとして情報記録制御器１０３ａに通知する。
そして、残容量検出器１００１ａは、情報記録制御器１０３ａからの残容量コマンドＣＲｖに応答して、ＡＶデータ制御器１００４から通知された残容量情報Ｉｒｖを情報記録制御器１０３ａに出力する。
記録設定情報表示器１００２は、情報記録制御器１０３ａを介して記録設定情報記憶器１０１ａから入力される登録録画予約情報Ｉｒｒに基づいて、現時点の録画予約情報を表す予約情報画像データＩｒｓを生成する。表示器１０２は、予約情報画像データＩｒｓに基づいて、図２に例示した録画予約設定画面１ａをユーザに対して表示する。また、記録設定情報表示器１００２は、上述の重複設定検出器１０００ａで重複予約発生が検出されたときには情報記録制御器１０３ａを介して入力される重複予約検出情報Ｉｒｄに基づいて、表示器１０２に重複予約の発生の旨をユーザに提示させる。
情報記録再生装置Ａｒｐ１および録画機器は、ＤＶＤレコーダ、ブルー・レイ・ディスク・レコーダ、ハードディスクレコーダ、ビデオテープレコーダ、パーソナルコンピュータ等の録画が可能な機器を用いることができる。そして、録画メディアとしては、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ等の光ディスク、ハードディスク、ＳＤカード等の各種メモリーカード、およびＤ−ＶＨＳやＳ−ＶＨＳやＤＶ等のビデオテープ等のあらゆる記録媒体を用いることができる。
図２に、テレビ等の表示器１０２の画面上に表示される録画予約設定画面１ａを模式的に示す。録画予約設定画面１ａは、ユーザが入力した録画予約情報である予約データＩｒに基づいて、録画予約状況（登録録画予約情報Ｉｒｒ）を画像表示する録画予約状況表Ｔｒａと、ユーザが予約情報を入力して、録画予約設定を行うために用いる録画予約設定部Ａｓａと、登録ボタン１９とに大別される。
録画予約状況表Ｔｒａは、日付表示部３（図中では、「日付」と表示）、時間表示部６、録画予約操作エリア７ａ、録画予約設定表示８、横スクロールバー９、および縦スクロールバー１０を含む。日付表示部３には、録画予約設定される対象日の日付が表示される。本例においては、５日（月曜日）と６日（火曜日）の両日が、録画予約対象として表示されている。
時間表示部６には、録画予約対象時刻が表示される。本例においては、７時００分から１５時００分（明示的には１４時００分）までが予約対象である。
録画予約操作エリア７ａには、上述の日付、および記録時刻とで規定される、各種録画パターンが画像的に表現される。同例においては、録画予約操作エリア７ａはさらに、５本の縦線で６つの領域（縦の列）に分割されている。これは、情報記録再生装置Ａｒｐ１においては、記録装置は物理的には記録再生器１０４の１台のみが備えられているが、それを仮想的に複数の記憶装置として用いることを示している。
その方法としては、記録再生器１０４の物理的記録媒体の記録領域を複数のパーティションに分割し、それぞれのパーティションに対して、マルチタスク処理で記録を行うことによって実現できる。なお、縦の列のそれぞれが、仮想の記憶装置に対応している。つまり、本例においては、１台の記録再生器１０４に対して、最大６つの同時録画が可能であることを示している。
しかしながら、実際に同時に録画できる数は、情報記録再生装置Ａｒｐ１の処理能力と、録画に要する処理負荷との関係で変化する。それゆえに、情報記録再生装置録画予約設定画面１ａにおいて、録画予約を受け付けられる数と、実際に録画予約を実行できる数は異なる。これについては、後ほど図５に示すフローチャートを参照して詳述する。
図２においては、実際に録画予約されている部分（陰影を附して表示）は、録画予約操作エリア７ａの他の部分の異なる色等で識別して表示される。この録画予約されている部分を録画予約設定表示８と呼ぶ。ユーザは、録画予約操作エリア７ａに画像的に表示された録画予約設定表示８のパターンに基づいて、録画予約の内容を直感的に把握できる。
録画予約設定表示指定ポインタ２０ａは、録画予約操作エリア７ａ上の特定の部分を指定することによって、当該部分に対応する設定内容を録画予約設定部Ａｓａに表示させるものである。本例においては、５日（月曜日）の、８時３０分から１１時００分までの録画機器ＤＶＤレコーダの記録メディアＤＶＤ−ＲＡＭに録画予約が設定されている。録画予約設定部Ａｓａには、これらの設定情報に加えて、更に詳細な情報が表示されているが、これについては後ほど図３および図４を参照して詳述する。
ユーザは、横スクロールバー９を操作することによって、録画予約状況表Ｔｒａの限られた表示面積では表示しきれない日付の部分を表示させることができる。同様に、ユーザは、縦スクロールバー１０を操作することによって、録画予約状況表Ｔｒａの表示しきれない時間の部分を表示させることができる。つまり、５日（月曜日）および６日（火曜日）の前後の日或いは、７時００分〜１５時００分の前後時刻の録画予約状況が表示できる。
録画予約を設定するために、ユーザが各種情報を入力すると共に、ユーザに設定情報を提示する録画予約設定部Ａｓａは、録画日設定エリア１２、放送チャンネル設定エリア１３、録画開始時刻設定エリア１４、および録画終了時刻設定エリア１５、録画モード設定エリア１６を含む。なお、本例においては、上述の如く録画予約設定表示指定ポインタ２０ａで指定された録画予約設定表示８における入力情報が提示されている。
録画日設定エリア１２には、録画予約された録画が実行される日付が入力される。本例においては、２００２年８月５日に録画が開始されるように設定されていることが提示されている。
放送チャンネル設定エリア１３には、録画予約された番組が放送されるチャンネルが入力される。本例においては、２チャンネルが設定されていることが提示されている。
録画開始時刻設定エリア１４には、録画予約された番組の録画を開始させる時刻が入力される。本例においては、８時３０分が設定されていることが提示されている。
録画終了時刻設定エリア１５には、録画予約された番組の録画を終了させる時刻が入力される。本例においては、１１時００分が設定されている。
録画モード設定エリア１６には、ロングプレイやスタンダードプレイという録画モードの別が入力される。本例においては、スタンダードプレイがＳＰとして略式表示されている。
ユーザは、録画予約設定部Ａｓａの各エリアを正しく設定することによって、録画予約を行い、その設定状況を確認した後に、登録ボタン１９を押すことによって設定内容を確定登録させて録画予約を完了する。結果、確定登録された録画予約は、録画予約状況表Ｔｒａの録画予約操作エリア７ａに反映されて、録画予約設定表示８として表示される。そして、ユーザは、録画予約が反映された録画予約設定表示８の一つを録画予約設定表示指定ポインタ２０ａで指定することによって、詳細な録画予約設定情報を録画予約設定部Ａｓａに表示させて、再度設定情報を変更することが出来る。
なお、上述の録画予約設定画面１ａの然るべき位置にカレンダーを表示させるように構成しても良い。この場合、カレンダー上に表示された日付を選択することによって、録画予約状況表Ｔｒａ或いは録画予約設定部Ａｓａを用いて予約記録設定の配信日（録画日設定エリア１２）の入力或いは変更を行うために、所望の日付を選択入力できる。
図３を参照して、情報記録再生装置Ａｒｐ１における、録画予約設定について具体的に説明する。図２を参照して説明したように、録画予約設定は録画予約設定画面１ａにおいて、録画予約設定表示指定ポインタ２０ａによって、録画予約状況表Ｔｒａの所望の録画予約部分を指定して、録画予約設定部Ａｓａに設定情報を入力することによって行う。具体的には、ユーザはリモコンや本体ボタンの方向ボタンを操作して、選択カーソルを録画予約したい部分へ移動させて、録画予約設定部Ａｓａでの設定入力が可能な状態にする。そして、ユーザは、数字ボタンや方向ボタン等に操作して、録画予約設定部Ａｓａの各エリアに対して適切に入力する。
ユーザは、録画日設定エリア１２には録画する年月日を入力し、放送チャンネル設定エリア１３には地上波アナログ、ＢＳ、ＢＳデジタル、ＣＳデジタル、および地上デジタル等の放送チャンネルを選択入力し、録画開始時刻設定エリア１４には録画を開始する時刻を入力し、録画終了時刻設定エリア１５には録画を終了する時刻を入力する。本例においては、録画日として２００２年８月５日が入力され、放送チャンネルとして２チャンネルが入力され、番組開始時刻として８：３０が入力され、録画終了時刻として１１：００が入力されている。入力が全て正しく入力された後、選択カーソルを登録ボタン１９上に移動させてリモコンや本体ボタンの決定ボタンや実行ボタン等を押すことにより登録を実行する。
登録されると、録画予約設定部Ａｓａに入力された設定情報が録画予約操作エリア７ａへ反映される。録画予約設定が録画予約操作エリア７ａに反映された後は、ユーザは録画予約設定表示指定ポインタ２０ａを移動させることにより各種操作を行うことができる。つまり、図３に明示するように、録画予約操作エリア７ａの録画予約設定部の一つに、録画予約設定表示指定ポインタ２０ａが移動させると、同部に設定されている情報がポップアップメニュー３０ａによって提示される。
図４を参照して、ポップアップメニュー３０ａについて説明する。ポップアップメニュー３０ａは、録画日設定エリア３１、録画開始時刻設定エリア３２、録画終了時刻設定エリア３３、放送チャンネル設定エリア３４、録画機器エリア３５ａ、録画メディアエリア３６ａ、録画モード設定エリア３７、毎週設定ボタン３８、平日設定ボタン３９、適用ボタン４０、戻ボタン４１、削除ボタン４２、コピーボタン４３、前表示ボタン４４、および次表示ボタン４５を含む。
録画日設定エリア３１、録画開始時刻設定エリア３２、録画終了時刻設定エリア３３、放送チャンネル設定エリア３４、および録画モード設定エリア３７は、それぞれ、録画予約設定部Ａｓａの録画日設定エリア１２、録画開始時刻設定エリア１４、録画終了時刻設定エリア１５、放送チャンネル設定エリア１３、および録画モード設定エリア１６と同様の機能を有する。また、適用ボタン４０を操作することによって、各種設定変更を録画予約操作エリア７ａに反映させることができる。このように、適用ボタン４０は、前述の登録ボタン１９と同様の機能を有する。
一方、録画機器エリア３５ａおよび録画メディアエリア３６ａは、情報記録再生装置Ａｒｐ１に組み込まれて固定的に利用できる録画機器および録画メディアが表示される。本例においては、上述のようにＤＶＤレコーダとＤＶＤ−ＲＡＭが表示されているが、ユーザはこれらを別のものに変更できない。
ユーザは、毎週設定ボタン３８を操作することによって、各種設定を毎週同じ曜日に設定できる。さらに、平日設定ボタン３９を操作することによって、月曜日から金曜日までの曜日毎の各種設定を毎週同様に設定できる。戻ボタン４１によって、各種設定変更を変更前に戻すことができる。削除ボタン４２によって、録画予約設定を削除できる。コピーボタン４３によって、各種設定を録画日設定エリア３１と録画開始時刻設定エリア３２と録画終了時刻設定エリア３３にコピー設定できる。前表示ボタン４４によって、録画日設定と録画開始時刻設定が重複していて表示されない場合には、設定順序で時間的に早く設定された録画予約設定に表示切替できる。次表示ボタン４５によって、録画日設定と録画開始時刻設定が重複していて表示されない場合に設定順序で時間的に遅く設定された録画予約設定に表示切替できる。
つまり、毎週設定ボタン３８、平日設定ボタン３９、戻ボタン４１、削除ボタン４２、コピーボタン４３、前表示ボタン４４、および次表示ボタン４５の機能は、ポップアップメニュー３０ａに固有の機能を有する。
ポップアップメニュー３０ａに含まれる各種機能を利用した録画予約設定の変更方法について具体的に説明する。例えば、ユーザが録画予約設定表示指定ポインタ２０ａを、８月５日のＤＶＤレコーダにおける８：３０から１１：００の録画予約設定部分に移動させると、ポップアップメニュー３０ａが表示される。ポップアップメニュー３０ａ上で各設定を変更した後に、適用ボタン４０を実行することで設定が反映され設定内容に応じた日時、放送チャンネルの予約設定エリアへ表示が移行する。
適用する前に各設定を元に戻す場合は、戻ボタン４１を実行することでポップアップメニュー３０ａ内の表示が元に戻る。毎週設定ボタン３８を実行すれば、毎週月曜日にＤＶＤレコーダに８：３０から１１：００まで２チャンネルの番組がＳＰモードで予約設定される。平日設定ボタン３９を実行すれば毎週月曜日から金曜日にＤＶＤレコーダに８：３０から１１：００まで２チャンネルの番組がＳＰモードで予約設定される。毎週設定と平日設定において何週間分が自動的に予約されるかはシステムで固定としても良いし設定できるようにしても良い。
さらに電子番組表と連動させて番組タイトル、ジャンル、出演者、キーワード等の検索を行い、検索結果を自動的に番組録画予約設定することもできる。削除ボタン４２を実行すれば録画予約は削除され表示が消え、次の録画予約設定部分または前の録画予約設定部分（録画予約設定表示８）に録画予約設定表示指定ポインタ２０ａが移動する。そして、その部分に対応する内容でポップアップメニュー３０ａが表示される。また、録画予約設定がなくなった場合は録画予約状況表Ｔｒａに移動する。
録画予約設定をコピーする場合は、例えば録画日設定エリア３１の日付を６日にしてコピーボタン４２を実行すると、同様の予約設定内容が６日にコピー設定される。他の設定項目に関しても同様の動作をする。従来の方法ではコピー操作は新規入力とまったく同様に項目毎にしかコピーできないが、本発明においては、設定全体をコピーできる。それ故、目的とする設定内容がコピー元と同じ或いは類似している場合には、設定入力が簡単に行える。
録画予約設定を変更する場合は、録画予約設定表示指定ポインタ２０ａがフォーカスされて、つまり録画予約操作エリア７ａの特定の録画予約設定部分（録画予約設定表示８）に位置しているときにリモコン等で直接入力して変更しても良く、また実行ボタン等で設定データの候補がならんで選択できるリストボックス形式の画面が表示されて選択設定しても良い。
重複予約設定されている場合は、ユーザの注意を促すために、録画予約設定表示指定ポインタ２０ａの表示色を通常の予約設定と変えたり、点滅させたり、表示形状を変えたりするように構成すれば良い。また、前表示ボタン４４と次表示ボタン４５を利用することで、重複設定内容を確認できる。録画予約設定表示指定ポインタ２０ａを少しずらせて重ねて表示しても良いが、重複予約が多い場合は非常に見づらくなる。
このように、重複予約に対して、特別の注意をユーザに促す理由は、上述のように、実際に予約録画を実行できる数は、受け付けられる録画予約の数と異なると共に、負荷状態によって変動するからである。言い換えれば、重複予約されたものは、実際には録画できない可能性があることをユーザに知らせているのである。また、重複予約による負荷に基づいて、ユーザにさらに具体的な警告を発することもできる。これについても、後ほど図５および図６に示すフローチャートを参照して説明する。
重複予約がない場合は、前表示ボタン４４と次表示ボタン４５は表示しなくとも良い。重複予約以外にも、例えば、短い時間帯に予約が重なった場合にも、特別に表示形態を変えて示し、それぞれの設定内容の確認等ができるようにすることもできる。重複予約等表示が重なっている場合はその個数を表示することで認識を高めることもできる。
録画予約設定表示指定ポインタ２０ａのフォーカス時の動作として、ポップアップメニュー３０ａを表示する以外にも、録画予約操作エリア７ａで録画予約設定表示指定ポインタ２０ａがフォーカスされている部分を、通常の表示色と異なる色で表示したり、点滅させたり、表示形状を変えたりしても良い。これらの、フォーカス時の動作を、ユーザが自由に設定できるようにしても良い。
横スクロールバー９を設けることで日付方向の録画予約状況をより詳細に表示でき、縦スクロールバー１０を設けることで時間方向の録画予約状況をより詳細に表示できる。一方、週単位や月単位の大雑把な録画予約設定の概略状況を見たい場合は表示範囲を変更できるメニューを設けることで一目で所望の状況を把握できる機能を提供できる。
また、従来も、電子番組表に基づいて番組単位の予約はできるが、自由な時間設定は行えず、複数機器の予約には対応できない。本発明においては、ポップアップメニュー３０ａの中に電子番組表へ移行するボタンを設け、電子番組表での予約選択を実行することでポップアップメニュー３０ａでの設定内容を反映させ、各種電子番組表の番組タイトルやステレオ等の情報データも設定記録できるようにしても良い。電子番組表による番組の羅列よりも日時のスケジュール的な予約設定のほうが録画機器の動作状況を素早く把握できる。
録画予約の中で、録画が完了したものと、録画実行中のものと、録画が実行されていないものにフォーカスした録画予約設定表示指定ポインタ２０ａの表示色を変えたり、点滅させたり、表示形状を変えたりすることで容易に録画予約実行状態を把握できる。録画完了すれば、録画予約操作エリア７ａから対応する録画予約設定を直ちに自動的に消去しても良く、一定期間後に消去しても良く、或いはユーザが自身で消去するまで残しておいても良い。録画が完了したものは、メディアが再生動作可能ならば、録画予約設定表示指定ポインタ２０ａと連動させて、再生させることができる。
次に、図５に示すフローチャートを参照して、上述の情報記録再生装置Ａｒｐ１の録画予約動作について説明する。
先ず、ステップＳ２において、ユーザの予約録画指示の入力の有無が検出される。具体的には、新規記録設定情報入力器１００から出力される予約データＩｒを取得する。そして、制御は次のステップＳ４に進む。
ステップＳ４において、重複設定検出器１０００ａは、予約データＩｒに応答して、予約状況データ要求コマンドＣｒｓを記録設定情報記憶器１０１ａに出力する。そして、記録設定情報記憶器１０１ａから返される登録録画予約情報Ｉｒｒに基づいて、重複設定の発生の有無が判断される。重複設定が発見された場合には、上述のように、録画予約設定表示指定ポインタ２０ａの表示色を通常の予約設定と変えたり、点滅させたり、表示形状を変えたりしても良い。そして、制御は次のステップＳ６に進む。
ステップＳ６において、残容量検出器１００１ａによって、記録再生器１０４（ＤＶＤレコーダ）の記録媒体（ＤＶＤ−ＲＡＭ）の記録容量の残量が検出される。そして、制御は次のステップＳ８に進む。
ステップＳ８において、上述のステップＳ６における重複設定検出結果に基づいて、ステップＳ２で入力された予約録画の実行可能か否かが判断される。つまり、現在重複して受け付けられている予約録画の実行負荷に耐えられるか否かが判断される。Ｙｅｓと判断される場合、制御は次のステップＳ１０に進む。
ステップＳ１０において、上述のステップＳ８における残量検出結果に基づいて、ステップＳ２で入力された予約録画に対して、記録再生器１０４の記録媒体の残容量が十分か否かが判断される。Ｙｅｓの場合、制御は次のステップＳ１２に進む。
ステップＳ１２において、記録設定情報記憶器１０１ａは、重複設定検出器１０００ａを介して入力された予約データＩｒを格納している録画予約情報データベースに記録する。結果、予約データＩｒで指示されている録画予約が情報記録再生装置録画予約設定画面１ａに登録されて登録録画予約情報Ｉｒｒが更新される。そして、制御は次のステップＳ１４に進む。
ステップＳ１４において、記録設定情報表示器１００２は、ステップＳ１２で更新された登録録画予約情報Ｉｒｒに基づいて、登録されている予約録画の状況を登録録画設定として、表示器１０２に表示させる。そして、制御は次のステップＳ１６に進む。
ステップＳ１６において、情報記録制御器１０３ａは、登録録画予約情報Ｉｒｒに基づいて、登録された予約録画をＡＶデータ制御器１００４に対して指示する。そして、制御は次のステップＳ１８に進む。
ステップＳ１８において、ＡＶデータ制御器１００４は、指定された時刻になれば、ＡＶデータＤａｖ１あるいはＡＶデータＤａｖ２を記録再生器１０４に記録させる。そして、制御は上述のステップＳ２に戻る。
上述のステップＳ８においてＮｏ、つまり、重複予約されているすべての録画の同時録画が不可であると判断された場合、制御はステップＳ２０に進む。
上述のステップＳ１０においてＮｏ、つまり残量は不十分と判断された場合、制御はステップＳ２０に進む。
ステップＳ２０において、ユーザに対して、予約録画の設定を変更するか否かを問い合わせる。つまり、ステップＳ８でＮｏと判断された場合には、ユーザに負荷が大きいので重複予約数を少なくするかを問い合わせる。一方、ステップＳ１０でＮｏと判断された場には、総記録可能時間数が足りないので、受け付けられている予約録画の総時間を少なくするかを問い合わせる。この問いあわせに対して、ユーザが設定を変更する、つまり新規記録設定情報入力器１００を利用して入力内容を修正する場合には、Ｙｅｓと判断されて、制御は上述のステップＳ２に戻る。一方、ユーザが設定を変更しない場合には、制御は次のステップＳ２２に進む。
ステップＳ２２において、重複可能な同時録画能力まで、残量の許すかぎり録画予約が設定される。そして、制御は次のステップＳ２４に進む。
ステップＳ２４において、表示器１０２で予約録画の設定不可である旨がユーザに提示される。具体的には、ステップＳ８でＮｏの場合には同時録画不可である旨が表示され、ステップＳ１０でＮｏの場合は残量不足の旨の警告が表示される。そして、制御は上述のステップＳ１６に進む。
このように構成することによって、情報記録再生装置Ａｒｐ１において、予約録画が設定されているものの、録画予約の重複数制限や、記録媒体の残容量制限のために、設定無効の警告表示がされている状況においても、可能な限りユーザの意志を尊重することを図っている。つまり、ユーザが新規に録画予約を設定した時点では、その予約を実行することは不可能な状態であっても、時間の経過とともにそのような状況は改善される可能性がある。具体的には、既に実行中あるは予約登録済みの別の録画が実行されて完了したり、設定が取り消されたりすることによって重複数が減少することがある。さらに、録画済データの削除により残容量が増加することがある。ステップＳ８およびＳ１０によって、このような録画条件の改善を検出して、録画予約設定の最適化が行われる。
図６に示すフローチャートを参照して、情報記録再生装置Ａｒｐ１から残容量検出器１００１ａを取り除いた場合の録画予約動作について説明する。なお、この場合の情報記録再生装置Ａｒｐ１の構成は、図１に示すブロック図から残容量検出器１００１ａと共に登録録画予約情報Ｉｒｒを除いた状態である。この場合の録画予約動作も、図５に示したフローチャートから、ステップＳ６およびステップＳ１０を除かれると共に、ステップＳ２２およびステップＳ２４がそれぞれステップＳ２２ｒおよびステップＳ２４ｒに置き換えられる。
結果、ステップＳ２２ｒにおいて、重複可能な同時録画能力まで録画予約が設定される。ステップＳ２４ｒにおいて、表示器１０２同時録画不可である旨が表示される。
図７に、新規記録設定情報入力器１００で入力できる項目と入力手段を模式的に示す。つまり、新規記録設定情報入力器１００は、録画予約設定部Ａｓａに示された録画日設定エリア１２、放送チャンネル設定エリア１３、録画開始時刻設定エリア１４、録画終了時刻設定エリア１５、録画モード設定エリア１６、ステップＳ８からＳ２４で構成される設定最適化手段をそなえる。なお、録画メディア設定エリア１７は後述する第２の実施形態において利用される。
次に、図８に示すフローチャートを参照して、録画予約変更処理動作について説明する。先ず、ステップＳ２０２において、録画予約設定画面１ａが表示される。そして、ユーザに対して、録画予約設定のため入力が促される。
ステップＳ２０４において、録画予約設定表示指定ポインタ２０ａがユーザにより、録画予約操作エリア７ａ上の既に録画予約されている部分にフォーカスされると、ポップアップメニュー３０ａが表示される。なお、ユーザは必要に応じて、横スクロールバー９および縦スクロールバー１０を操作して、所望の録画予約部分に録画予約設定表示指定ポインタ２０ａをフォーカスする。そして、ユーザに対して、ポップアップメニュー３０ａの各エリアに対する入力が促される。
ステップＳ２０６において、ポップアップメニュー３０ａの各エリアに対す入力後の適用ボタン４０操作検出の有無が判断される。適用ボタン４０の操作が検出された時点で、制御は次のステップＳ２０８に進む。
ステップＳ２０８において、ポップアップメニュー３０ａに設定入力された録画予約設定情報が録画予約操作エリア７ａ上に反映される。
ステップＳ２１０において、ステップＳ２０８で反映された録画予約設定情報に基づいて、録画予約設定表示８が録画予約操作エリア７ａ上に表示される。なお、重複予約されている場合には、録画予約操作エリア７ａの形態をそれぞれ変形させて表示される。そして、そして、本サブルーチンは終了する。
図９に、記録設定情報表示器１００２を実現する構成を模式的に示す。同図に示す種々の手段から、記録設定情報表示器１００２を構成することができる。
上述のように、第１の実施形態にかかる情報記録再生装置は以下に述べる特徴を有している。
新規録画予約設定エリアを設けることにより、予約表でのリモコンやマウス等を使用した座標上での新規録画予約エリア指定よりも新規録画予約を明確に確実に登録することが出来るという優れた効果を奏する。
毎週設定と平日設定ができることにより容易に規則性のある番組録画予約操作が出来る。
電子番組表と連動させて検索設定ができることにより容易に録画したい番組が設定でき、また番組録画予約したい番組を見落とすことがなく設定することが出来るという優れた効果を奏する。
従来の方法ではコピー操作は新規入力とまったく同様にしかできないため、コピーボタンにより面倒な同様および類似設定内容の番組録画予約設定を容易に快適に設定することが出来るという優れた効果を奏する。
万一重複予約設定してしまった場合は、録画予約設定表示の表示色を通常の予約設定と変えたり、点滅させたり、表示形状を変えたりして注意を促し、また前表示ボタンと次表示ボタンにより重複設定内容を確認することで、録画予約設定表示を少しずらせて重ねて表示する方法も考えられるが、重複予約が多い場合は非常に見づらくなることを防止することが出来るという優れた効果を奏する。
重複予約等表示が重なっている場合はその個数を表示することで認識を高めることが出来るという優れた効果を奏する。
カーソルのフォーカス時の動作として、単にフォーカスがあたっていることを通常の表示色と変えたり、点滅させたり、表示形状を変えたりして表示上示し、メニューボタン等でポップアップ表示を出しても良く、フォーカス時に自動的にポップアップ表示を出しても良く、これらの動作をユーザの設定で変更するようにすることで、自動ポップアップ表示をユーザの好みで選択でき、自動表示のうるささや親切さといった個人の好みで快適な操作が出来るという優れた効果を奏する。
横スクロールバーを設けることで日付方向、縦スクロールバーを設けることで時間方向の表示をより詳細に表示することができ、一方週単位や月単位の大雑把な録画予約設定の概略状況を見たい場合は表示範囲を変更できるメニューを設けることで一目で所望の状況を把握できる機能を提供することが出来るという優れた効果を奏する。
ポップアップ表示のメニューの中に電子番組表へ移行するボタンを設けることで、電子番組表での予約選択を実行することでポップアップ表示への設定内容を反映させ、各種電子番組表の番組タイトルやステレオ等の情報データも設定記録できるようにすることで、各種録画データの入力が容易にすることが出来るという優れた効果を奏する。
番組録画予約実行が終了したものと実行中のものと実行されていないものの録画予約設定表示の表示色を変えたり、点滅させたり、表示形状を変えたりすることで容易に録画予約実行状態を把握することが出来るという優れた効果を奏する。
番組録画予約において実行終了したものは実行終了後すぐに録画予約設定表示を消去することで、予約表を見易くすることができ、また予約設定データも消去することで機器のメモリ節約をすることが出来るという優れた効果を奏する。
番組録画予約において実行終了したものは一定期間後に消去することで、最近の番組録画予約情報を確認することができ、かつ機器のメモリ節約をすることが出来るという優れた効果を奏する。
番組録画予約において実行終了したものはユーザが確認して消去することで、さらにユーザの実行した内容のメモ機能も実現でき、かつ機器のメモリ節約をすることが出来るという優れた効果を奏する。
さらに、物理的には単一の記録装置でありながら、マルチタスク処理により、仮想的に複数の記録装置のごとく利用することにより、情報記録再生装置のリソースを余すことなく有効に利用できるという優れた効果を有する。また、リソースの限度まで予約録画設定される場合にも、その時点で可能な限りの重複数および録画時間で予約を受け付け、リソース状態が改善された時点でより多くの重複数および録画時間で予約を受け付け直すことができる。つまり、リソースの変化に動的に対応して、できるだけユーザの要望を満たすことが出来るという優れた効果を奏する。
（第２の実施形態）
以下に、図１０〜図１９を参照して、第２の実施形態にかかる情報記録再生装置について説明する。本実施形態にかかる情報記録再生装置は記録装置を１つ以上備えると共に、ネットワークや配線を介して他の録画装置に接続されている。このようなものとしては、ＬＡＮで複数のレコーダに接続されているテレビ等が当てはまる。
図１０に本発明の実施の形態にかかる情報記録再生装置の構成を示す。情報記録再生装置Ａｒｐ２は、図１に示した情報記録再生装置Ａｒｐ１において、記録設定情報記憶器１０１ａ、情報記録制御器１０３ａ、重複設定検出器１０００ａ、および残容量検出器１００１ａがそれぞれ、記録設定情報記憶器１０１ｂ、情報記録制御器１０３ｂ、重複設定検出器１０００ｂ、および残容量検出器１００１ｂに交換されている。そして、ＮＷ機器記録設定情報送受信器２０００、ＮＷ機器設定情報記憶器２００１、ＮＷ機器残容量検出器２００２、ＮＷ機器記録再生制御器２００３、およびＮＷ機器記録再生制御信号送受信器２００４が新たに設けられている。
ＮＷ機器記録設定情報送受信器２０００は、ネットワーク等を介して接続されている外部の記録装置と予約録画設定情報Ｉｒｎを交換する。
ＮＷ機器設定情報記憶器２００１は、ＮＷ機器記録設定情報送受信器２０００を介して、外部の記録装置に設定されている外部録画予約情報Ｉｒｎを受信して、記録しているデータベースである。ＮＷ機器設定情報記憶器２００１は、重複設定検出器１０００ｂから出力される外部予約状況データ要求コマンドＣｒｎに応答して、外部録画予約情報Ｉｒｎを重複設定検出器１０００ｂに出力する。
ＮＷ機器残容量検出器２００２は、ＮＷ機器記録設定情報送受信器２０００を介して、外部の記録装置の記録媒体の使用可能な記憶容量を示す外部残容量情報Ｉｒｖｎを受信して格納する。
ＮＷ機器記録再生制御器２００３は、外部の記録装置に対して、記録および再生を指示する記録再生指示出力Ｃｒｐｏを生成する。そして、記録再生指示出力ＣｒｐｏはＮＷ機器記録再生制御信号送受信器２００４を介して、当該外部の記録装置に出力される。ＮＷ機器記録再生制御器２００３は、さらに、外部の記録装置からの情報記録再生装置Ａｒｐ２に対する指示である記録再生指示入力Ｃｒｐｉを受信する。
記録設定情報記憶器１０１ｂは、記録設定情報記憶器１０１ａの機能に加えて、録画予約情報データベースが更新されると、その内容を知らせる更新通知Ｎｒ１をＮＷ機器記録設定情報送受信器２０００に出力する機能を有している。
重複設定検出器１０００ｂは、重複設定検出器１０００ａの機能に加えて、ＮＷ機器設定情報記憶器２００１に対して、ネットワークを介して接続されている記録装置に対する録画予約情報を要求する外部予約状況データ要求コマンドＣｒｎを出力する機能を有している。なお、重複設定検出器１０００ｂは、予約データＩｒと外部録画予約情報Ｉｒｎに基づいて、重複設定の発生の有無を判断する。
残容量検出器１００１ｂは、残容量検出器１００１ａの機能に加えて、記録再生器１０４の残容量が変化すると、その内容を知らせる容量変化通知Ｎｒ２をＮＷ機器記録設定情報送受信器２０００に出力する機能を有している。
ＮＷ機器記録設定情報送受信器２０００は、残容量検出器１００１ｂから更新通知Ｎｒ１を受信すると、ＮＷ機器残容量検出器２００２のデータベースを更新する。さらに、ＮＷ機器記録設定情報送受信器２０００は、新規記録設定情報入力器１００ｂから容量変化通知Ｎｒ２を受信すると、ＮＷ機器残容量検出器２００２のデータベースを更新する。
情報記録再生装置Ａｒｐ２は、好ましくは複数の録画再生機器がネットワークを介して接続されて構成される。外部のインターネットと接続するためのネットワークアダプタも情報記録再生装置Ａｒｐ２に接続されている。なお、通信ネットワークは、イーサネット、光ファイバー、無線、および同軸ケーブル等のＬＡＮやＩＥＥＥ１３９４インターフェース機器やモデムによる接続であっても良い。
また、ネットワークアダプタを介して外部と接続する手段としては、電話回線、ＡＤＳＬ、他のＤＳＬ、光ファイバーのＦＴＴＨ、ＣＡＴＶ、携帯電話やＰＨＳ等の無線や、電灯線でも良い。
図１１および図１２を参照して、情報記録再生装置Ａｒｐ２における録画予約設定について説明する。図１１に、表示器１０２に表示される録画予約設定画面１ｂを模式的に示す。録画予約設定画面１ｂは、図２に示した録画予約設定画面１ａにおいて、録画予約状況表Ｔｒａ、録画予約操作エリア７ａ、および録画予約設定部Ａｓａがそれぞれ、録画予約状況表Ｔｒｂ、録画予約操作エリア７ｂ、および録画予約設定部Ａｓｂに交換されている。さらに、録画機器表示部４（図中では、「機器」と表示）およびメディア表示部５（図中では、「ドライブ」と表示）が追加されている。
録画機器表示部４には、情報記録再生装置Ａｒｐ２にネットワーク或いは直接接続されて、録画予約に利用できる外部の録画機器が表示される。本例においては、録画機器として、ＢＤ１、ＤＶＤ１、およびＥＸＴの３つに対して録画予約できることが示されている。
メディア表示部５には、録画機器表示部４に表示されている録画機器のそれぞれで、実際に情報が記録されるメディアが表示される。本例においては、録画機器ＢＤ１では、ＢＤ（Ｂｌｕｅ  Ｒａｙ  Ｄｉｓｃ）およびＨＤＤ（Ｈａｒｄ  Ｄｉｓｃ  Ｄｒｉｖｅ）が含まれ、ＤＶＤ１にはＤＶＤとＨＤＤが含まれ、ＥＸＴにはインターネットで接続される記録装置Ｓ１およびＳ２が含まれている。
録画予約操作エリア７ｂは、基本的に上述の録画予約操作エリア７ａと同じである。しかし、録画予約操作エリア７ｂでは情報記録再生装置Ａｒｐ１に組み込まれた１つの記録装置が対象であるのに対して、録画予約操作エリア７ｂでは情報記録再生装置Ａｒｐ２に組み込まれた記録装置にとどまらず、ネットワークや配線で接続される複数の記録装置を対象にしている点が異なる。
録画予約設定表示指定ポインタ２０ｂは、録画予約操作エリア７ａ上の特定の部分を指定することによって、当該部分に対応する設定内容を録画予約設定部Ａｓｂに表示させるものである。本例においては、５日（月曜日）の、８時３０分から１１時００分までの録画機器ＤＶＤレコーダ（ＤＶＤ１）の記録メディアＤＶＤに録画予約が設定されて部分が指定されている。録画予約設定部Ａｓｂには、これらの設定情報に加えて、更に詳細な情報が表示されているが、これについては後ほど図１２を参照して詳述する。
録画予約設定部Ａｓｂは、録画予約設定部Ａｓａに対して、録画メディア設定エリア１７、および録画機器設定エリア１８が新たに設けられている。録画メディア設定エリア１７には、メディア表示部５に詳細に表示されているドライブの内で所望のものの選択に使用される。録画機器設定エリア１８には、録画機器表示部４に示されている機器の内で所望のものの選択に使用される。本例においては、メディア表示部５には、機器としてはＤＶＤ１が選択され、記録メディアとしてもＤＶＤが選択されている。
図１２に、情報記録再生装置Ａｒｐ２において、録画予約設定表示指定ポインタ２０ｂによって、録画予約状況表Ｔｒｂの所望の録画予約部分を指定した際に表示されるポップアップメニュー３０ｂを示す。
録画予約設定部Ａｓｂの録画機器設定エリア１８には、番組を録画する機器を設定入力する。本例においては、ＤＶＤ記録器であるＤＶＤレコーダ（ＤＶＤ１）が選択される。録画メディア設定エリア１７には、録画機器設定エリア１８で設定された機器が内蔵する録画機器で使用できる録画メディアが選択される。本例においては、ＤＶＤ−ＲＡＭが選択される。
図１３を参照して、ポップアップメニュー３０ｂについて説明する。ポップアップメニュー３０ｂは、図４に示したポップアップメニュー３０ａに対して、録画機器エリア３５ａおよび録画メディア設定エリア３６ａがそれぞれ、録画機器設定エリア３５ｂおよび録画メディア設定エリア３６ｂに置き換えられている。これは、情報記録再生装置録画予約設定画面１ａにおいては、録画機器および録画メディアは選択できなかったのに対して、本実施形態においてはそれぞれ選択できることに対応するものである。
ポップアップメニュー３０ｂに含まれる各種機能を利用した録画予約設定の変更方法について具体的に説明する。例えば、ユーザが録画予約設定表示指定ポインタ２０ｂを、８月５日のＤＶＤ１のＤＶＤレコーダにおける８：３０から１１：００の録画予約設定部分に移動させると、ポップアップメニュー３０ｂが表示される。ポップアップメニュー３０ｂ上で各設定を変更した後に、適用ボタン４０を実行することで設定が反映され設定内容に応じた日時、機器、メディアの予約設定エリアへ表示が移行する。
適用する前に各設定を元に戻す場合は、戻ボタン４１を実行することでポップアップメニュー３０ｂ内の表示が元に戻る。毎週設定ボタン３８を実行すれば、毎週月曜日にＤＶＤ１のＤＶＤレコーダに８：３０から１１：００まで２チャンネルの番組がＳＰモードで予約設定される。平日設定ボタン３９を実行すれば毎週月曜日から金曜日にＤＶＤ１のＤＶＤレコーダに８：３０から１１：００まで２チャンネルの番組がＳＰモードで予約設定される。毎週設定と平日設定において何週間分が自動的に予約されるかはシステムで固定としても良いし設定できるようにしても良い。
なお、上述の録画予約の変更の動作について、以下により詳しく説明する。予約していた番組放送の延長が発生した場合、例えば、図１１において、５日のＤＶＤ１のＨＤＤの１２時００分から１４時３０分までの予約が１５：００まで延長された場合に、先に予約されている１４時００分から１４：３０の予約を、未予約のＢＤ１のＢＤやＨＤＤ、ＥＸＴのＳ１に録画予約設定変更することが可能である。このように、設定変更できる録画機器の候補が複数ある場合には、その優先順位を情報記録装置のシステムで標準ルールとして決めても良く、ユーザが設定できるようにしても良い。例えば、優先順位が高い順に、変更対象となる機器が複数の録画機器であれば、同じ機器内の異なる録画機器、次に、ネットワーク接続された機器の同じ種類の録画機器、ネットワークアドレスの小さい順に設定される
図１９に、図１０に示した情報記録再生装置における記録機器の選択優先時の一例を示す。同例においては、それぞれの記録機器が使用あるいは選択されていないことを条件に、以下の順位で選択される。先ず、ＢＤのＨＤＤ、その次にＤＶＤ１のＨＤＤ、そして、ＥＸＴのＳ１、ＢＤ１のＢＤ、ＥＸＴのＳ２、そしてＤＶＤ１のＤＶＤの順番で優先的に選択される。
図１９に示すように、ネットワーク接続機器およびその録画機器一覧から直接順番をユーザが設定できるようにしても良い。前記の変更や延長がポップアップメニュー３０ｂ上での適用ボタン４０を実行するユーザ操作による人為的なものであっても同様の動作を行う。
同様に録画予約設定部Ａｓｂに、最低限録画日、開始時間、終了時間、チャンネルを入力して登録ボタン１９を実行すれば、前記優先順位にしたがって録画予約設定される。優先順位は前記のものと同様でも場合により別にルールを持っても良い。最低限の情報入力の場合、機器とメディアは前記ルールにしたがって自動設定される。さらに録画機器や機器の指定を追加すると、ルールに条件追加して自動設定される。
入力された日時において機器や録画機器の指定をして登録実行する。また、ポップアップメニュー３０ｂで設定変更したものが、すでに設定されていた機器や録画機器に重複していた場合、例えば、図１１において、録画予約設定部Ａｓｂに５日のＤＶＤ１のＤＶＤの９：００から１０：００までの予約を登録実行する場合を考える。  この場合、ＤＶＤ１のＤＶＤにはすでに８：３０から１１：００まで予約が入っており、もしこの予約が録画機器指定された予約でなかった場合、この予約をＤＶＤ１のＨＤＤへ変更して前記登録実行した予約を設定する。
したがって、録画予約設定時の項目の属性にユーザからの明示的な指定があったかどうかの情報を持たせておくことになる。また、５日のＤＶＤ１のＨＤＤの１２時００分から１４時３０分までの予約をポップアップメニュー３０ｂ上でＢＤに変更すればＥＸＴのＳ１およびＳ２は予約されているので、ＢＤ１のＢＤへ設定変更される。このように、機器やシステムが自動的に空いているところを検索して設定するので、録画予約設定を簡便に行うことができる。重複している場合も複数の機器の録画予約状況を１台毎調べまわって最適なものをユーザが判断して再設定しなおすことなく、決められた優先順位ルールで機器やシステムが自動的に再設定してくれるので、録画予約設定を簡便に行うことができる
各機器において、ＨＤＤやＤＶＤレコーダなどの録画機器を複数備えたハイブリッド機器において、複数の録画機器を同時に動作させることによって、重複した複数の録画予約を可能にする。結果、重複した複数の録画予約が生じても、本発明においては、そのような録画予約状況が非常に分かり易く表示される。
また、実行中のものは、録画中に同時再生することもできる。なお、ポップアップ表示には詳細表示として録画内容、録画日時、録画時間、データ容量、録画モード、録画映像・音声情報等を表示するボタンを設けても良い。
上述のように、本実施形態にかかる情報記録再生装置Ａｒｐ２は互いにネットワークで接続されて、情報記録を代行し合う機能を有している。このような場合、一方が他方の予約管理を行うマスター機とスレーブ機の関係が生じる。上述の図１０に示した情報記録再生装置Ａｒｐ２は、マスター機として機能する場合の構造を示している。スレーブ機として機能するためには、マスター機として機能する場合には不要な機能があるので、より簡単に構成することができる。
図１４に、スレーブ機としての情報記録再生装置Ａｒｐ２の構造を示す。なお、マスター機としての情報記録再生装置Ａｒｐ２と区別するために、スレーブ機は情報記録再生装置Ａｒｐ２Ｓと称する。情報記録再生装置Ａｒｐ２Ｓは、情報記録再生装置Ａｒｐ２からＮＷ機器設定情報記憶器２００１およびＮＷ機器残容量検出器２００２が削除されている。これは、スレーブ機である情報記録再生装置Ａｒｐ２Ｓは、他の情報記録再生装置Ａｒｐ２に関する外部録画予約情報Ｉｒｎおよび外部残容量情報Ｉｒｖｎを所有する必要がないからである。
次に、図１５に示すフローチャートを参照して、情報記録再生装置Ａｒｐ２Ｓにおける予約録画動作について説明する。なお、説明の簡便化のために、情報記録再生装置Ａｒｐ２Ｓから、残容量検出器１００１ｂおよびＮＷ機器残容量検出器２００２が取り除かれた場合を例に説明する。この意味において、図１５に示すフローチャートは、情報記録再生装置Ａｒｐ１自身の記録再生器１０４を対象としている図６に示したフローチャートにおけるステップＳ２、Ｓ４、Ｓ８、Ｓ１２、Ｓ１４、Ｓ１６、Ｓ１８、Ｓ２０、Ｓ２２ｒ、およびＳ２４ｒがそれぞれ、他の情報記録再生装置Ａｒｐ２の記録再生器１０４も対象とするＳ２ｂ、Ｓ４ｂ、Ｓ８ｂ、Ｓ１２ｂ、Ｓ１４ｂ、Ｓ１６ｂ、Ｓ１８ｂ、Ｓ２０ｂ、Ｓ２２ｒｂ、およびＳ２４ｒｂに交換されている。つまり、本実施形態においては、予約データＩｒと外部録画予約情報Ｉｒｎに代表される２つの情報記録再生装置Ａｒｐ２に関する設定条件が処理対象である。
なお、ステップＳ１４ｂとステップＳ１６ｂの間に、ステップＳ１５が追加されている。同ステップにおいては、情報記録再生装置Ａｒｐ１に接続されている他の予約記録装置に対して登録録画予約情報Ｉｒｒが通知される。これによって、互いに接続される２つ以上の予約記録装置の間で互いに、他方の予約録画を代行できる。
図１６に示すフローチャートを参照して、マスター機としての情報記録再生装置Ａｒｐ２の予約録画動作について説明する。本フローチャートは、図１５に示したフローチャートにおいて、ステップＳ１５とステップＳ１６ｂをステップＳ１５ｍで置き換えたものである。ステップＳ１５ｍでは、情報記録再生装置Ａｒｐ２自身に対しては登録録画予約情報Ｉｒｒで設定されている予約録画を逐次実行すると共に、外部の記録装置（スレーブとしての情報記録再生装置Ａｒｐ２Ｓ）に対しては、記録再生指示出力Ｃｒｐｏを予約録画実行コマンドとして送信する。このようにして、マスターとしての情報記録再生装置Ａｒｐ２は、自身の記録能力および外部の記録装置（スレーブとしての情報記録再生装置Ａｒｐ２Ｓ）の能力も利用して情報の予約記録を行う。
図１７に、情報記録再生装置Ａｒｐ２がインターネットを介して、他の記録装置に接続される場合の構造を示す。この情報記録再生装置Ａｒｐ２ｎは、図１０に示した情報記録再生装置Ａｒｐ２に、ＮＷ機器記録設定情報送受信器２０００、ＮＷ機器記録再生制御信号送受信器２００４、およびＮＷ機器ＡＶ受信器１００５が公衆回線網ＮＷに接続されている。そして、この公衆回線網ＮＷを介して、外部の記録装置の外部録画予約情報Ｉｒｎ、外部残容量情報Ｉｒｖｎ、記録再生指示入力Ｃｒｐｉ、記録再生指示出力Ｃｒｐｏ、およびＡＶデータＤａｖを交換して、互いに予約記録の代行を行う。
図１８に、上述のように複数の記録装置がネットワークを介して接続される情報記録再生装置Ａｒｐ２の具体的な構成例を模式的に示す。情報記録再生装置Ａｒｐ２は、好ましくは複数の録画再生機器がネットワークを介してテレビジョン装置２５に接続されて構成される。テレビジョン装置２５（図１８では、「ＴＶ」と表示）は、通信ネットワーク２７を介して、２台のブルー・レイ・ディスク・レコーダ（図１８では、「ＢＤ１」および「「ＢＤ２」と表示）２１および２３と接続されている。さらに、ＤＶＤレコーダ２２（図１８では、「ＤＶＤ１」と表示）およびパーソナルコンピュータ２４も同様にテレビジョン装置２５に接続されている。
この場合、好ましくは、パーソナルコンピュータ２４が、マスター機として機能し、他の装置はスレーブ機として機能するように構成される。
さらに、外部のインターネットと接続するためのネットワークアダプタ２６もテレビジョン装置２５に接続されている。なお、通信ネットワーク２７は、イーサネット、光ファイバー、無線、および同軸ケーブル等のＬＡＮやＩＥＥＥ１３９４インターフェース機器やモデムによる接続であっても良い。また、ネットワークアダプタ２６は外部の接続が電話回線、ＡＤＳＬ、他のＤＳＬ、光ファイバーのＦＴＴＨ、ＣＡＴＶ、携帯電話やＰＨＳ等の無線や、電灯線でも良い。
情報記録再生装置Ａｒｐ２および録画機器は、ＤＶＤレコーダ、ブルー・レイ・ディスク・レコーダ、ハードディスクレコーダ、ビデオテープレコーダ、パーソナルコンピュータ等の録画が可能な機器を用いることができる。そして、録画メディアとしては、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ等の光ディスク、ハードディスク、ＳＤカード等の各種メモリーカード、およびＤ−ＶＨＳやＳ−ＶＨＳやＤＶ等のビデオテープ等のあらゆる記録媒体を用いることができる。
上述のように、第２の実施形態にかかる情報記録再生装置は、第１の実施形態にかかる情報記録再生装置における特徴に加えて、以下に述べる特徴を有している。
各機器において、録画機器を複数持ったハイブリッド機器においては録画機器を同時動作できるようにして重複した複数予約ができたり、録画機器が１つの機器においても、例えばＲＡＭ動作可能な光ディスクのピックアップやハードディスクの磁気ヘッドを俊敏に動作させる効率の良いデータ書き込みアルゴリズムにより並列処理動作させて複数データ記録を実現させたりすることにより、録画機器性能を向上させて重複した複数予約が出来るという優れた効果を奏する。
また、このような複数録画機器を持った機器においては、従来の表形式の録画予約方法では非常にわかりづらいものになり、従来の電子番組表からの録画予約方法においても番組単位の予約はできるが自由な時間設定は行えず、複数機器の予約には対応できず、電子番組表による番組の羅列よりも日時のスケジュール的な予約設定のほうが機器の動作状況の把握がすばやく出来るという優れた効果を奏する。
予約表中に複数録画機器の各録画機器および複数同時記録が可能な録画機器の同時記録可能数分を表示して設定できるようにすることで、容易に一目で見て番組録画予約状況が把握できて、その機器が持っている複数番組同時録画機能を最大限活用することができ、無駄な重複番組録画予約をすることもなくなるという優れた効果を奏する。
予約表中にネットワーク接続された複数の録画機器を表示できるようにすることで、容易に一目で見て番組録画予約状況が把握でき、デジタル放送が普及するにつれてアナログ放送も含め多チャンネルとなってくるため、同じ時間帯に複数の録画予約設定を行いたい場合でも、複数録画機器での録画予約設定のみならず複数機器をネットワークで接続して録画予約設定を一元管理することで漏れのない重複のない効率的な録画予約設定を行うことが出来るという優れた効果を奏する。
また、前記設定は１つの機器から行っても良く、ネットワークに接続されたパーソナルコンピュータから行っても良い、また、インターネット等外部からネットワークにアクセスして、外部のパーソナルコンピュータや携帯情報端末や携帯電話や有線電話を利用して行っても良い。結果、番組録画予約を忘れていたことを外出先で気がついたり、新たな録画したい番組が発生した場合にでも番組録画予約設定出来るという優れた効果を奏する。
予約したい番組設定情報を設定すれば、自動的にネットワークに接続された録画機器の録画設定状況から最適な録画機器に録画予約設定を行うこともでき、詳細に考えることなく容易に番組録画予約設定することが出来るという優れた効果を奏する。
自動番組録画予約再設定により、現状の各機器の設定状況で追加予約したい番組設定情報が実現困難な場合には、番組と機器の録画機器選択の組み合わせに起因する、処理負荷や残容量等によるハードウェアのリソース配分を最適化するよう録画予約設定を再構築することも出来るという優れた効果を奏する。
自動番組録画予約設定により、新規録画予約設定において最低限録画日設定と録画開始時刻設定と録画終了時刻設定と放送チャンネル設定を設定しておけば機器やシステムで自動的に最適な録画予約を行うことも出来るという優れた効果を奏する。
自動警告通報により、リムーバブルメディアの録画予約実行時間が近づいて、トレイにメディアが挿入されていなかったり、ハードディスク録画機器でも同様であるがメディアの残量が足りない場合には、警告表示を行ったり警告メールをネットワークに接続された他の機器やパーソナルコンピュータやさらには外部の携帯電話やパーソナルコンピュータ等に送信することもでき、大切な番組録画予約を失敗することがなくなるという優れた効果を奏する。
前記に加え、エラー時自動回避により、他の録画機器メディアや他の機器のメディアに番組録画予約設定変更を自動的に出来るという優れた効果を奏する。
実行終了したものはメディアが再生動作可能ならば録画予約設定表示から選択実行することができ、実行中のものは録画中同時再生することもでき、またポップアップメニューで機器と録画機器を指定しての再生も削除もダビングも行うことが出来るという優れた効果を奏する。
【産業上の利用可能性】  本発明は、ネットワークなどを介して接続された複数の記録装置の間で、お互いの予約録画を代行することによって、お互いに有休のリソースを有効利用した予約録画等に利用できる。
【図１】
2004088980.tif 000003
【図２】
2004088980.tif 000004
【図３】
2004088980.tif 000005
【図４】
2004088980.tif 000006
【図５】
2004088980.tif 000007
【図６】
2004088980.tif 000008
【図７】
2004088980.tif 000009
【図８】
2004088980.tif 000010
【図９】
2004088980.tif 000011
【図１０】
2004088980.tif 000012
【図１１】
2004088980.tif 000013
【図１２】
2004088980.tif 000014
【図１３】
2004088980.tif 000015
【図１４】
2004088980.tif 000016
【図１５】
2004088980.tif 000017
【図１６】
2004088980.tif 000018
【図１７】
2004088980.tif 000019
【図１８】
2004088980.tif 000020
【図１９】
2004088980.tif 000021
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
所定の時刻に所定の配信源から配信される情報を、配信時刻の前に決定された予約記録設定に基づいて、所定の情報記録手段に予約記録する情報記録再生装置であって、
前記情報を記録再生する記録再生手段と、
前記予約記録設定として、前記情報の配信日、配信時刻、配信源、および情報記録手段を特定する予約記録特定手段と、
前記予約記録設定を前記配信日および前記情報記録手段と、前記配信時刻とで規定される二次元マトリックス上に表示する予約記録設定表示手段と、
前記二次元マトリックス上に表示された前記予約記録設定の個々を特定する予約記録設定特定手段と、
前記特定された予約記録設定を表示する予約記録設定表示手段と、
前記表示された予約記録設定を編集する予約記録設定編集手段と備える情報記録再生装置。
【請求項２】
前記予約記録設定の少なくとも２つが、前記配信日および前記配信時刻の少なくとも一部が重複する場合には、当該予約記録設定が重複していることを警告表示する予約設定重複表示手段を備える請求項１に記載の情報記録再生装置。
【請求項３】
前記予約設定重複表示手段は、表示デザインおよび表示色の何れかを変化させることにより前記警告表示を行うことを特徴とする請求項２に記載の情報記録再生装置。
【請求項４】
前記予約設定重複表示手段は、前記予約記録設定が重複している個数を表示することを特徴とする請求項３に記載の情報記録再生装置。
【請求項５】
前記予約記録設定の内で、予約記録が実行中のものを、予約記録が実行中でないものと識別表示する実行中予約記録設定表示手段をさらに備える請求項１に記載の情報記録再生装置。
【請求項６】
前記予約記録設定の内で、予約記録が既に完了しているものを、予約記録が完了していないものと識別表示する完了予約記録設定表示手段をさらに備える請求項１に記載の情報記録再生装置。
【請求項７】
前記予約記録設定表示手段は、前記予約記録設定の配信日の入力および変更の何れかを実現するためにカレンダー表示から所望の日付を選択入力できることを特徴とする請求項５に記載の情報記録再生装置。
【請求項８】
前記記録再生手段の少なくとも１台は、当該情報記録再生装置に対して外部接続されることを特徴とする請求項１に記載の情報記録再生装置。
【請求項９】
前記配信時刻の変更に応じて、自動的に最適な記録再生手段を見つけて、予約記録設定を変更する自動予約記録設定変更手段をさらに備える請求項１に記載の情報記録再生装置。
【請求項１０】
前記予約記録設定表示手段は、個々の予約記録設定が前記予約記録設定特定手段に特定された時に、自動的にポップアップ表示されることを特徴とする請求項１に記載の情報記録再生装置。
【請求項１１】
１つの録画機器において並列処理動作させて複数データ記録を行う複数データ同時記録手段をさらに備える請求項１に記載の情報記録再生装置。
【請求項１２】
電子番組表へ移行する電子番組表移行手段と、
電子番組表での予約選択を実行することで前記電子番組表の設定内容を反映させ、各種電子番組表の番組タイトルやステレオ等の情報データを設定記録できる電子番組表データ設定手段とをさらに備える請求項１に記載の情報記録再生装置。
【請求項１３】
前記情報記録手段に関する既存の予約記録設定に基づいて、新たなる予約記録設定に対して、最適な記録再生手段が選択される自動予約記録設定生成手段を備える請求項１に記載の情報記録再生装置。
【請求項１４】
前記最適な記録再生手段はネットワークに接続されていることを特徴とする請求項１３に記載の情報記録再生装置。
【請求項１５】
前記情報記録手段と前記記録再生手段との組み合わせに起因するハードウェアの制約を最適化するよう予約記録設定を再構築する自動記録再設定手段を備える請求項１に記載の情報記録再生装置。
【請求項１６】
新規予約記録設定において前記予約記録特定手段において、前記配信日、前記配信時刻、および前記配信源を特定すれば、自動的に最適な予約記録設定を生成する自動記録設定手段を備える請求項１に記載の情報記録再生装置。
【請求項１７】
前記情報を正常に記録できない状態である場合、当該情報の記録先を他の録画機器メディアや他の機器のメディアに回避させる予約記録設定変更手段をさらに備える請求項１に記載の情報記録再生装置。
【請求項１８】
前記予約記録が完了した情報に対して、再生、削除、およびダビングの何れかを行えるメニュー手段を備える請求項１に記載の情報記録再生装置。
【請求項１９】
前記予約記録実行中の情報に対して、同時記録再生が行えるメニュー手段をさらに備える請求項１に記載の情報記録再生装置。
【請求項２０】
前記記録再生手段の記録可能容量を検出する残容量検出手段と、
前記検出された残容量が前記予約設定に特定される記録時間が短い時には、記録不可の警告を表示する記録可否判定手段とをさらに備える請求項１に記載の情報記録再生装置。
【請求項２１】
前記残容量が前記予約設定に特定される記録時間より短い時には、前記残容量で記録できる限度だけ予約記録を設定する予約記録最適化手段をさらに備える請求項２０に記載の情報記録再生装置。
【手続補正２】
【補正対象書類名】明細書
【補正対象項目名】全文
【補正方法】変更
【補正の内容】
【書類名】明細書
【技術分野】
【０００１】
本発明は、情報記録再生装置およびその記録システムに関し、さらに詳述すれば、情報の予約記録の設定方法に関する。
【背景技術】
【０００２】
従来の情報記録再生装置およびその記録システムにおいて、情報を予約記録する場合の動作について、テレビなどの録画再生装置による番組の予約録画を例に簡単に説明する。予約録画の際には、ユーザは録画再生装置を操作して、先ず、新規番組録画予約入力画面を呼び出す。そして、ユーザは呼び出した新規番組録画予約入力画面において、入力を促されている予約録画に必要な諸条件を入力する。その後、ユーザは、さらに、録画再生装置を操作して、番組録画予約確認画面を呼び出して、新規番組録画予約入力画面を利用して行った録画予約の内容が正しいか否かを確認する。
【０００３】
番組録画予約確認画面においては、通常、録画予約された番組は、それぞれ番組録画予約開始時間順にソートされた一覧表形式で文字表示される。また、特開平０６−１１８１８５号公報（特許文献１）において、一覧表形式以外にも予約表形式で文字表示されるものが提案されている。さらに、予約表形式であるが、重複予約時や短い時間帯において操作表示域が重ねて文字表示されるものが特開２０００−２７８６３９号公報（特許文献２）に提案されている。
【０００４】
なお、新規番組録画予約画面および番組録画予約一覧画面を用いる録画予約動作は、録画再生装置そのものを操作することなく、液晶付リモコン等に必要事項を入力して、録画再生装置に転送することによっても実現出来る。
【特許文献１】特開平０６−１１８１８５号公報
【特許文献２】特開２０００−２７８６３９号公報
【発明の開示】
【発明が解決しようとする課題】
【０００５】
しかしながら、上述の録画再生装置に代表される情報記録再生装置において用いられる番組録画予約確認画面では、以下に述べるような問題がある。
【０００６】
録画予約した番組が一覧表形式で表示される場合には、同一の番組を重複して録画予約してしまう、いわゆる重複番組録画予約が一目で分かり難い。また、ユーザは、表示されている文字を追って予約状況を確認するために、予約を見落とし易い。そのために、大切な番組録画予約を、重複設定や設定間違いや設定忘れにより失敗させる可能性が高い。
【０００７】
また、特開平０６−１１８１８５号公報に提案されている予約表形式の場合は、一覧表形式を予約表形式にしただけである。それ故に、複数の独立した録画機器が直接、あるいはネットワークを介して接続された録画再生装置の番組録画予約には対応できない。
【０００８】
また、上述の特開２０００−２７８６３９号公報に提案されている予約表形式の場合も、やはり独立した複数の録画機器を備えた録画再生装置の番組録画予約には対応できない。つまり、重複予約時や短い時間帯において、操作表示域を重ねて表示させ、順次選択して最前面へ表示させたり操作させたりするが、重複予約等が多数重なった場合には表示画面上に表示しきれなくなる。それゆえに、録画予約の確認に用いるには、表示項目や情報あるいは表示方法に何かの制限をかけなければならない。また、独立した複数の録画機器、あるいはネットワーク接続されている録画機器に関しても、その存在は表示されてはいるが、それらに跨って録画するなどの方法については、何ら考慮されていない。
【０００９】
なお、テレビなどの録画再生装置による番組の予約録画を例に説明したが、上述の問題点は、基本的に所定の時刻に配信される情報の記録を、配信時刻の前に予約設定できる情報記録再生装置に共通の課題である。また、再生機能を有しない情報記録装置においても同様であることは言うまでもない。
【００１０】
よって、本発明は、上記従来の録画再生装置における問題に鑑み、番組録画予約が一目でわかり易く、重複設定や設定間違いや設定忘れ等の原因により大切な番組録画予約を失敗することがなく、仮に重複予約した場合にはその事が認識し易い表示形態を提供することでユーザに注意喚起させることができる情報記録再生装置およびその記録方法を提供することを目的とする。また、独立した複数の記録機器を備えた録画機器や、複数の記録メディアを有する独立した記録機器や、ネットワーク接続された録画機器による番組録画予約の設定の煩わしさや誤設定を軽減し、極力自動的に最適な番組録画予約設定を実現する情報記録再生装置と情報記録システムを提供することを目的とする。
【発明を解決するための手段】
【００１１】
所定の時刻に所定の配信源から配信される情報を、配信時刻の前に決定された予約記録設定に基づいて、所定の情報記録手段に予約記録する情報記録再生装置は、
前記情報を記録再生する記録再生手段と、
前記予約記録設定として、前記情報の配信日、配信時刻、配信源、および情報記録手段を特定する予約記録設定特定手段と、
前記予約記録設定を前記配信日および前記情報記録手段と、前記配信時刻とで規定される二次元マトリックス上に表示する予約記録設定表示手段と、
前記二次元マトリックス上に表示された前記予約記録設定の個々を特定する予約記録設定特定手段と、
前記特定された予約記録設定を表示する予約記録設定表示手段と、
前記表示された予約記録設定を編集する予約記録設定編集手段とを備える。
【発明の効果】
【００１２】
本発明によれば、予約記録設定が二次元マトリックス上に展開表示されるので、予約の重複が発生した場合には、容易に認識できる。
【発明を実施するための最良の形態】
【００１３】
（第１の実施の形態）
以下に、図１〜図９を参照して、第１の実施形態にかかる情報記録再生装置について説明する。本実施形態にかかる情報記録再生装置は、記録装置を１つ備えると共に、他の情報記録再生装置等と接続されることなく単独で用いられるものである。このようなものとしては、ネットワークや配線を介して他の録画装置に接続されていない、録画機能を搭載したテレビ等が当てはまる。本実施形態においては、情報記録再生に用いる手段としてＤＶＤ−ＲＡＭを記録メディアとして用いるＤＶＤレコーダが１台だけ接続、あるいは組み込まれたテレビを具体例として詳細に説明する。
【００１４】
図１に、本発明の実施の形態にかかる情報記録再生装置の構成を示す。情報記録再生装置Ａｒｐ１は、新規記録設定情報入力器１００、記録設定情報記憶器１０１ａ、表示器１０２、情報記録制御器１０３ａ、記録再生器１０４、重複設定検出器１０００ａ、残容量検出器１００１ａ、記録設定情報表示器１００２、チューナ１００３、ＡＶデータ制御器１００４、およびＮＷ機器ＡＶ受信器１００５を含む。
【００１５】
新規記録設定情報入力器１００は、リモコンやキーボード等の入力機器で構成されて、ユーザの操作に基づいて、情報記録再生装置Ａｒｐ１に対する録画予約指示を受け付ける。新規記録設定情報入力器１００は、受け付けた録画予約指示に基づいて、予約データＩｒを生成する。
【００１６】
重複設定検出器１０００ａは、情報記録再生装置Ａｒｐ１での重複予約の発生を検出する機能を有する。具体的には、新規記録設定情報入力器１００から出力された予約データＩｒに応答して、記録設定情報記憶器１０１ａに対して予約状況データＩｒｒを要求する予約状況データ要求コマンドＣｒｓを出力する。
【００１７】
記録設定情報記憶器１０１ａは、情報記録再生装置Ａｒｐ１に登録されている録画予約情報を記録しているデータベースである。記録設定情報記憶器１０１ａは、重複設定検出器１０００ａから出力された予約状況データ要求コマンドＣｒｓに応答して、対応時間帯での登録録画予約情報Ｉｒｒを重複設定検出器１０００ａに出力する。
【００１８】
重複設定検出器１０００ａは、予約データＩｒと登録録画予約情報Ｉｒｒを比較して、重複予約の発生の有無を判断する。そして、重複予約が発生しないと判断した場合には、予約データＩｒを記録設定情報記憶器１０１ａに出力する。一方、重複予約が発生すると判断した場合は、重複予約検出情報Ｉｒｄを生成して情報記録制御器１０３ａに出力する。
【００１９】
記録設定情報記憶器１０１ａは、重複設定検出器１０００ａから出力された予約データＩｒに基づいて、自身の録画予約情報データベースを更新する。記録設定情報記憶器１０１ａは、情報記録制御器１０３ａに対して、録画予約情報データベースに登録されている録画予約情報を逐次出力する。
【００２０】
チューナ１００３は、放送局などの外部の情報源から供給される情報（例えば、放送番組）を受信して、ＡＶデータＤａｖ１を生成する。ＡＶデータＤａｖ１は、ＡＶデータ制御器１００４に出力される。
【００２１】
ＮＷ機器ＡＶ受信器１００５は、ネットワークなど介して外部のＡＶ機器や記録装置などの情報源に接続されている。そして、ＮＷ機器ＡＶ受信器１００５は、外部の情報源から供給されるＡＶデータＤａｖ２をＡＶデータ制御器１００４に出力する。
【００２２】
ＡＶデータ制御器１００４は、チューナ１００３およびＮＷ機器ＡＶ受信器１００５から入力されるＡＶデータＤａｖ１およびＡＶデータＤａｖ２のＡＶデータの属性（例えば、ビットレート）を取得して、ＡＶデータ属性情報を生成する。ＡＶデータ制御器１００４は、情報記録制御器１０３ａから出力されるＡＶ制御信号Ｃａｖに基づいて、ＡＶデータＤａｖ１およびＡＶデータＤａｖ２を適時、記録再生器１０４に記録させる。なお、今後特に必要がない限りＡＶデータＤａｖ１およびＡＶデータＤａｖ２をＡＶデータＤａｖと総称する。
【００２３】
ＡＶデータ制御器１００４は、さらにＡＶ制御信号Ｃａｖに基づいて、記録再生器１０４に記録されているＡＶデータＤａｖを読み出す。そして、読み出したＡＶデータＤａｖは、ＮＷ機器ＡＶ受信器１００５を介して外部のＡＶ機器や記録装置等に供給する。
【００２４】
残容量検出器１００１ａは、記録再生器１０４に備えられた情報記録媒体（本実施形態においては、ＤＶＤ−ＲＡＭ）の記録容量の記録されていない量、つまりまだ記録できるデータ量を検出して残容量情報Ｉｒｖを生成して格納する。なお、残容量情報Ｉｒｖの生成は、以下のごとく実行される。まず、残容量検出器１００１ａが残容量コマンドＣＲｖを情報記録制御器１０３ａに出力し、情報記録制御器１０３ａがＡＶデータ制御器１００４に、記録再生器１０４の記録可能容量を問い合わせる。そして、ＡＶデータ制御器１００４は、記録再生器１０４に対するＡＶデータＤａｖの記録および読み出しの課程で管理している記録再生器１０４の記録可能容量を、残容量情報Ｉｒｖとして情報記録制御器１０３ａに通知する。
【００２５】
そして、残容量検出器１００１ａは、情報記録制御器１０３ａからの残容量コマンドＣＲｖに応答して、ＡＶデータ制御器１００４から通知された残容量情報Ｉｒｖを情報記録制御器１０３ａに出力する。
【００２６】
記録設定情報表示器１００２は、情報記録制御器１０３ａを介して記録設定情報記憶器１０１ａから入力される登録録画予約情報Ｉｒｒに基づいて、現時点の録画予約情報を表す予約情報画像データＩｒｓを生成する。表示器１０２は、予約情報画像データＩｒｓに基づいて、図２に例示した録画予約設定画面１ａをユーザに対して表示する。また、記録設定情報表示器１００２は、上述の重複設定検出器１０００ａで重複予約発生が検出されたときには情報記録制御器１０３ａを介して入力される重複予約検出情報Ｉｒｄに基づいて、表示器１０２に重複予約の発生の旨をユーザに提示させる。
【００２７】
情報記録再生装置Ａｒｐ１および録画機器は、ＤＶＤレコーダ、ブルー・レイ・ディスク・レコーダ、ハードディスクレコーダ、ビデオテープレコーダ、パーソナルコンピュータ等の録画が可能な機器を用いることができる。そして、録画メディアとしては、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ等の光ディスク、ハードディスク、ＳＤカード等の各種メモリーカード、およびＤ−ＶＨＳやＳ−ＶＨＳやＤＶ等のビデオテープ等のあらゆる記録媒体を用いることができる。
【００２８】
図２に、テレビ等の表示器１０２の画面上に表示される録画予約設定画面１ａを模式的に示す。録画予約設定画面１ａは、ユーザが入力した録画予約情報である予約データＩｒに基づいて、録画予約状況（登録録画予約情報Ｉｒｒ）を画像表示する録画予約状況表Ｔｒａと、ユーザが予約情報を入力して、録画予約設定を行うために用いる録画予約設定部Ａｓａと、登録ボタン１９とに大別される。
【００２９】
録画予約状況表Ｔｒａは、日付表示部３（図中では、「日付」と表示）、時間表示部６、録画予約操作エリア７ａ、録画予約設定表示８、横スクロールバー９、および縦スクロールバー１０を含む。日付表示部３には、録画予約設定される対象日の日付が表示される。本例においては、５日（月曜日）と６日（火曜日）の両日が、録画予約対象として表示されている。
【００３０】
時間表示部６には、録画予約対象時刻が表示される。本例においては、７時００分から１５時００分（明示的には１４時００分）までが予約対象である。
【００３１】
録画予約操作エリア７ａには、上述の日付、および記録時刻とで規定される、各種録画パターンが画像的に表現される。同例においては、録画予約操作エリア７ａはさらに、５本の縦線で６つの領域（縦の列）に分割されている。これは、情報記録再生装置Ａｒｐ１においては、記録装置は物理的には記録再生器１０４の１台のみが備えられているが、それを仮想的に複数の記憶装置として用いることを示している。
【００３２】
その方法としては、記録再生器１０４の物理的記録媒体の記録領域を複数のパーティションに分割し、それぞれのパーティションに対して、マルチタスク処理で記録を行うことによって実現できる。なお、縦の列のそれぞれが、仮想の記憶装置に対応している。つまり、本例においては、１台の記録再生器１０４に対して、最大６つの同時録画が可能であることを示している。
【００３３】
しかしながら、実際に同時に録画できる数は、情報記録再生装置Ａｒｐ１の処理能力と、録画に要する処理負荷との関係で変化する。それゆえに、情報記録再生装置録画予約設定画面１ａにおいて、録画予約を受け付けられる数と、実際に録画予約を実行できる数は異なる。これについては、後ほど図５に示すフローチャートを参照して詳述する。
【００３４】
図２においては、実際に録画予約されている部分（陰影を附して表示）は、録画予約操作エリア７ａの他の部分とは異なる色等で識別して表示される。この録画予約されている部分を録画予約設定表示８と呼ぶ。ユーザは、録画予約操作エリア７ａに画像的に表示された録画予約設定表示８のパターンに基づいて、録画予約の内容を直感的に把握できる。
【００３５】
録画予約設定表示指定ポインタ２０ａは、録画予約操作エリア７ａ上の特定の部分を指定することによって、当該部分に対応する設定内容を録画予約設定部Ａｓａに表示させるものである。本例においては、５日（月曜日）の、８時３０分から１１時００分までの録画機器ＤＶＤレコーダの記録メディアＤＶＤ−ＲＡＭに録画予約が設定されている。録画予約設定部Ａｓａには、これらの設定情報に加えて、更に詳細な情報が表示されているが、これについては後ほど図３および図４を参照して詳述する。
【００３６】
ユーザは、横スクロールバー９を操作することによって、録画予約状況表Ｔｒａの限られた表示面積では表示しきれない日付の部分を表示させることができる。同様に、ユーザは、縦スクロールバー１０を操作することによって、録画予約状況表Ｔｒａの表示しきれない時間の部分を表示させることができる。つまり、５日（月曜日）および６日（火曜日）の前後の日或いは、７時００分〜１５時００分の前後時刻の録画予約状況が表示できる。
【００３７】
録画予約を設定するために、ユーザが各種情報を入力すると共に、ユーザに設定情報を提示する録画予約設定部Ａｓａは、録画日設定エリア１２、放送チャンネル設定エリア１３、録画開始時刻設定エリア１４、および録画終了時刻設定エリア１５、録画モード設定エリア１６を含む。なお、本例においては、上述の如く録画予約設定表示指定ポインタ２０ａで指定された録画予約設定表示８における入力情報が提示されている。
【００３８】
録画日設定エリア１２には、録画予約された録画が実行される日付が入力される。本例においては、２００２年８月５日に録画が開始されるように設定されていることが提示されている。
【００３９】
放送チャンネル設定エリア１３には、録画予約された番組が放送されるチャンネルが入力される。本例においては、２チャンネルが設定されていることが提示されている。
【００４０】
録画開始時刻設定エリア１４には、録画予約された番組の録画を開始させる時刻が入力される。本例においては、８時３０分が設定されていることが提示されている。
【００４１】
録画終了時刻設定エリア１５には、録画予約された番組の録画を終了させる時刻が入力される。本例においては、１１時００分が設定されている。
【００４２】
録画モード設定エリア１６には、ロングプレイやスタンダードプレイという録画モードの別が入力される。本例においては、スタンダードプレイがＳＰとして略式表示されている。
【００４３】
ユーザは、録画予約設定部Ａｓａの各エリアを正しく設定することによって、録画予約を行い、その設定状況を確認した後に、登録ボタン１９を押すことによって設定内容を確定登録させて録画予約を完了する。結果、確定登録された録画予約は、録画予約状況表Ｔｒａの録画予約操作エリア７ａに反映されて、録画予約設定表示８として表示される。そして、ユーザは、録画予約が反映された録画予約設定表示８の一つを録画予約設定表示指定ポインタ２０ａで指定することによって、詳細な録画予約設定情報を録画予約設定部Ａｓａに表示させて、再度設定情報を変更することが出来る。
【００４４】
なお、上述の録画予約設定画面１ａの然るべき位置にカレンダーを表示させるように構成しても良い。この場合、カレンダー上に表示された日付を選択することによって、録画予約状況表Ｔｒａ或いは録画予約設定部Ａｓａを用いて予約記録設定の配信日（録画日設定エリア１２）の入力或いは変更を行うために、所望の日付を選択入力できる。
【００４５】
図３を参照して、情報記録再生装置Ａｒｐ１における、録画予約設定について具体的に説明する。図２を参照して説明したように、録画予約設定は録画予約設定画面１ａにおいて、録画予約設定表示指定ポインタ２０ａによって、録画予約状況表Ｔｒａの所望の録画予約部分を指定して、録画予約設定部Ａｓａに設定情報を入力することによって行う。具体的には、ユーザはリモコンや本体ボタンの方向ボタンを操作して、選択カーソルを録画予約したい部分へ移動させて、録画予約設定部Ａｓａでの設定入力が可能な状態にする。そして、ユーザは、数字ボタンや方向ボタン等に操作して、録画予約設定部Ａｓａの各エリアに対して適切に入力する。
【００４６】
ユーザは、録画日設定エリア１２には録画する年月日を入力し、放送チャンネル設定エリア１３には地上波アナログ、ＢＳ、ＢＳデジタル、ＣＳデジタル、および地上デジタル等の放送チャンネルを選択入力し、録画開始時刻設定エリア１４には録画を開始する時刻を入力し、録画終了時刻設定エリア１５には録画を終了する時刻を入力する。本例においては、録画日として２００２年８月５日が入力され、放送チャンネルとして２チャンネルが入力され、番組開始時刻として８：３０が入力され、録画終了時刻として１１：００が入力されている。入力が全て正しく入力された後、選択カーソルを登録ボタン１９上に移動させてリモコンや本体ボタンの決定ボタンや実行ボタン等を押すことにより登録を実行する。
【００４７】
登録されると、録画予約設定部Ａｓａに入力された設定情報が録画予約操作エリア７ａへ反映される。録画予約設定が録画予約操作エリア７ａに反映された後は、ユーザは録画予約設定表示指定ポインタ２０ａを移動させることにより各種操作を行うことができる。つまり、図３に明示するように、録画予約操作エリア７ａの録画予約設定部の一つに、録画予約設定表示指定ポインタ２０ａが移動されると、同部に設定されている情報がポップアップメニュー３０ａによって提示される。
【００４８】
図４を参照して、ポップアップメニュー３０ａについて説明する。ポップアップメニュー３０ａは、録画日設定エリア３１、録画開始時刻設定エリア３２、録画終了時刻設定エリア３３、放送チャンネル設定エリア３４、録画機器エリア３５ａ、録画メディアエリア３６ａ、録画モード設定エリア３７、毎週設定ボタン３８、平日設定ボタン３９、適用ボタン４０、戻ボタン４１、削除ボタン４２、コピーボタン４３、前表示ボタン４４、および次表示ボタン４５を含む。
【００４９】
録画日設定エリア３１、録画開始時刻設定エリア３２、録画終了時刻設定エリア３３、放送チャンネル設定エリア３４、および録画モード設定エリア３７は、それぞれ、録画予約設定部Ａｓａの録画日設定エリア１２、録画開始時刻設定エリア１４、録画終了時刻設定エリア１５、放送チャンネル設定エリア１３、および録画モード設定エリア１６と同様の機能を有する。また、適用ボタン４０を操作することによって、各種設定変更を録画予約操作エリア７ａに反映させることができる。このように、適用ボタン４０は、前述の登録ボタン１９と同様の機能を有する。
【００５０】
一方、録画機器エリア３５ａおよび録画メディアエリア３６ａは、情報記録再生装置Ａｒｐ１に組み込まれて固定的に利用できる録画機器および録画メディアが表示される。本例においては、上述のようにＤＶＤレコーダとＤＶＤ−ＲＡＭが表示されているが、ユーザはこれらを別のものに変更できない。
【００５１】
ユーザは、毎週設定ボタン３８を操作することによって、各種設定を毎週同じ曜日に設定できる。さらに、平日設定ボタン３９を操作することによって、月曜日から金曜日までの曜日毎の各種設定を毎週同様に設定できる。戻ボタン４１によって、各種設定変更を変更前に戻すことができる。削除ボタン４２によって、録画予約設定を削除できる。コピーボタン４３によって、各種設定を録画日設定エリア３１と録画開始時刻設定エリア３２と録画終了時刻設定エリア３３にコピー設定できる。前表示ボタン４４によって、録画日設定と録画開始時刻設定が重複していて表示されない場合には、設定順序で時間的に早く設定された録画予約設定に表示切替できる。次表示ボタン４５によって、録画日設定と録画開始時刻設定が重複していて表示されない場合に設定順序で時間的に遅く設定された録画予約設定に表示切替できる。
【００５２】
つまり、毎週設定ボタン３８、平日設定ボタン３９、戻ボタン４１、削除ボタン４２、コピーボタン４３、前表示ボタン４４、および次表示ボタン４５の機能は、ポップアップメニュー３０ａに固有の機能を有する。
【００５３】
ポップアップメニュー３０ａに含まれる各種機能を利用した録画予約設定の変更方法について具体的に説明する。例えば、ユーザが録画予約設定表示指定ポインタ２０ａを、８月５日のＤＶＤレコーダにおける８：３０から１１：００の録画予約設定部分に移動させると、ポップアップメニュー３０ａが表示される。ポップアップメニュー３０ａ上で各設定を変更した後に、適用ボタン４０を実行することで設定が反映され設定内容に応じた日時、放送チャンネルの予約設定エリアへ表示が移行する。
【００５４】
適用する前に各設定を元に戻す場合は、戻ボタン４１を実行することでポップアップメニュー３０ａ内の表示が元に戻る。毎週設定ボタン３８を実行すれば、毎週月曜日にＤＶＤレコーダに８：３０から１１：００まで２チャンネルの番組がＳＰモードで予約設定される。平日設定ボタン３９を実行すれば毎週月曜日から金曜日にＤＶＤレコーダに８：３０から１１：００まで２チャンネルの番組がＳＰモードで予約設定される。毎週設定と平日設定において何週間分が自動的に予約されるかはシステムで固定としても良いし設定できるようにしても良い。
【００５５】
さらに電子番組表と連動させて番組タイトル、ジャンル、出演者、キーワード等の検索を行い、検索結果を自動的に番組録画予約設定することもできる。削除ボタン４２を実行すれば録画予約は削除され表示が消え、次の録画予約設定部分または前の録画予約設定部分（録画予約設定表示８）に録画予約設定表示指定ポインタ２０ａが移動する。そして、その部分に対応する内容でポップアップメニュー３０ａが表示される。また、録画予約設定がなくなった場合は録画予約状況表Ｔｒａに移動する。
【００５６】
録画予約設定をコピーする場合は、例えば録画日設定エリア３１の日付を６日にしてコピーボタン４２を実行すると、同様の予約設定内容が６日にコピー設定される。他の設定項目に関しても同様の動作をする。従来の方法ではコピー操作は新規入力とまったく同様に項目毎にしかコピーできないが、本発明においては、設定全体をコピーできる。それ故、目的とする設定内容がコピー元と同じ或いは類似している場合には、設定入力が簡単に行える。
【００５７】
録画予約設定を変更する場合は、録画予約設定表示指定ポインタ２０ａがフォーカスされて、つまり録画予約操作エリア７ａの特定の録画予約設定部分（録画予約設定表示８）に位置しているときにリモコン等で直接入力して変更しても良く、また実行ボタン等で設定データの候補がならんで選択できるリストボックス形式の画面が表示されて選択設定しても良い。
【００５８】
重複予約設定されている場合は、ユーザの注意を促すために、録画予約設定表示指定ポインタ２０ａの表示色を通常の予約設定と変えたり、点滅させたり、表示形状を変えたりするように構成すれば良い。また、前表示ボタン４４と次表示ボタン４５を利用することで、重複設定内容を確認できる。録画予約設定表示指定ポインタ２０ａを少しずらせて重ねて表示しても良いが、重複予約が多い場合は非常に見づらくなる。
【００５９】
このように、重複予約に対して、特別の注意をユーザに促す理由は、上述のように、実際に予約録画を実行できる数は、受け付けられる録画予約の数と異なると共に、負荷状態によって変動するからである。言い換えれば、重複予約されたものは、実際には録画できない可能性があることをユーザに知らせているのである。また、重複予約による負荷に基づいて、ユーザにさらに具体的な警告を発することもできる。これについても、後ほど図５および図６に示すフローチャートを参照して説明する。
【００６０】
重複予約がない場合は、前表示ボタン４４と次表示ボタン４５は表示しなくとも良い。重複予約以外にも、例えば、短い時間帯に予約が重なった場合にも、特別に表示形態を変えて示し、それぞれの設定内容の確認等ができるようにすることもできる。重複予約等表示が重なっている場合はその個数を表示することで認識を高めることもできる。
【００６１】
録画予約設定表示指定ポインタ２０ａのフォーカス時の動作として、ポップアップメニュー３０ａを表示する以外にも、録画予約操作エリア７ａで録画予約設定表示指定ポインタ２０ａがフォーカスされている部分を、通常の表示色と異なる色で表示したり、点滅させたり、表示形状を変えたりしても良い。これらの、フォーカス時の動作を、ユーザが自由に設定できるようにしても良い。
【００６２】
横スクロールバー９を設けることで日付方向の録画予約状況をより詳細に表示でき、縦スクロールバー１０を設けることで時間方向の録画予約状況をより詳細に表示できる。一方、週単位や月単位の大雑把な録画予約設定の概略状況を見たい場合は表示範囲を変更できるメニューを設けることで一目で所望の状況を把握できる機能を提供できる。
【００６３】
また、従来も、電子番組表に基づいて番組単位の予約はできるが、自由な時間設定は行えず、複数機器の予約には対応できない。本発明においては、ポップアップメニュー３０ａの中に電子番組表へ移行するボタンを設け、電子番組表での予約選択を実行することでポップアップメニュー３０ａでの設定内容を反映させ、各種電子番組表の番組タイトルやステレオ等の情報データも設定記録できるようにしても良い。電子番組表による番組の羅列よりも日時のスケジュール的な予約設定のほうが録画機器の動作状況を素早く把握できる。
【００６４】
録画予約の中で、録画が完了したものと、録画実行中のものと、録画が実行されていないものにフォーカスした録画予約設定表示指定ポインタ２０ａの表示色を変えたり、点滅させたり、表示形状を変えたりすることで容易に録画予約実行状態を把握できる。録画完了すれば、録画予約操作エリア７ａから対応する録画予約設定を直ちに自動的に消去しても良く、一定期間後に消去しても良く、或いはユーザが自身で消去するまで残しておいても良い。録画が完了したものは、メディアが再生動作可能ならば、録画予約設定表示指定ポインタ２０ａと連動させて、再生させることができる。
【００６５】
次に、図５に示すフローチャートを参照して、上述の情報記録再生装置Ａｒｐ１の録画予約動作について説明する。
【００６６】
先ず、ステップＳ２において、ユーザの予約録画指示の入力の有無が検出される。具体的には、新規記録設定情報入力器１００から出力される予約データＩｒを取得する。そして、制御は次のステップＳ４に進む。
【００６７】
ステップＳ４において、重複設定検出器１０００ａは、予約データＩｒに応答して、予約状況データ要求コマンドＣｒｓを記録設定情報記憶器１０１ａに出力する。そして、記録設定情報記憶器１０１ａから返される登録録画予約情報Ｉｒｒに基づいて、重複設定の発生の有無が判断される。重複設定が発見された場合には、上述のように、録画予約設定表示指定ポインタ２０ａの表示色を通常の予約設定と変えたり、点滅させたり、表示形状を変えたりしても良い。そして、制御は次のステップＳ６に進む。
【００６８】
ステップＳ６において、残容量検出器１００１ａによって、記録再生器１０４（ＤＶＤレコーダ）の記録媒体（ＤＶＤ−ＲＡＭ）の記録容量の残量が検出される。そして、制御は次のステップＳ８に進む。
【００６９】
ステップＳ８において、上述のステップＳ６における重複設定検出結果に基づいて、ステップＳ２で入力された予約録画の実行可能か否かが判断される。つまり、現在重複して受け付けられている予約録画の実行負荷に耐えられるか否かが判断される。Ｙｅｓと判断される場合、制御は次のステップＳ１０に進む。
【００７０】
ステップＳ１０において、上述のステップＳ８における残量検出結果に基づいて、ステップＳ２で入力された予約録画に対して、記録再生器１０４の記録媒体の残容量が十分か否かが判断される。Ｙｅｓの場合、制御は次のステップＳ１２に進む。
【００７１】
ステップＳ１２において、記録設定情報記憶器１０１ａは、重複設定検出器１０００ａを介して入力された予約データＩｒを格納している録画予約情報データベースに記録する。結果、予約データＩｒで指示されている録画予約が情報記録再生装置録画予約設定画面１ａに登録されて登録録画予約情報Ｉｒｒが更新される。そして、制御は次のステップＳ１４に進む。
【００７２】
ステップＳ１４において、記録設定情報表示器１００２は、ステップＳ１２で更新された登録録画予約情報Ｉｒｒに基づいて、登録されている予約録画の状況を登録録画設定として、表示器１０２に表示させる。そして、制御は次のステップＳ１６に進む。
【００７３】
ステップＳ１６において、情報記録制御器１０３ａは、登録録画予約情報Ｉｒｒに基づいて、登録された予約録画をＡＶデータ制御器１００４に対して指示する。そして、制御は次のステップＳ１８に進む。
【００７４】
ステップＳ１８において、ＡＶデータ制御器１００４は、指定された時刻になれば、ＡＶデータＤａｖ１あるいはＡＶデータＤａｖ２を記録再生器１０４に記録させる。そして、制御は上述のステップＳ２に戻る。
【００７５】
上述のステップＳ８においてＮｏ、つまり、重複予約されているすべての録画の同時録画が不可であると判断された場合、制御はステップＳ２０に進む。
【００７６】
上述のステップＳ１０においてＮｏ、つまり残量は不十分と判断された場合、制御はステップＳ２０に進む。
【００７７】
ステップＳ２０において、ユーザに対して、予約録画の設定を変更するか否かを問い合わせる。つまり、ステップＳ８でＮｏと判断された場合には、ユーザに負荷が大きいので重複予約数を少なくするかを問い合わせる。一方、ステップＳ１０でＮｏと判断された場には、総記録可能時間数が足りないので、受け付けられている予約録画の総時間を少なくするかを問い合わせる。この問いあわせに対して、ユーザが設定を変更する、つまり新規記録設定情報入力器１００を利用して入力内容を修正する場合には、Ｙｅｓと判断されて、制御は上述のステップＳ２に戻る。一方、ユーザが設定を変更しない場合には、制御は次のステップＳ２２に進む。
【００７８】
ステップＳ２２において、重複可能な同時録画能力まで、残量の許すかぎり録画予約が設定される。そして、制御は次のステップＳ２４に進む。
【００７９】
ステップＳ２４において、表示器１０２で予約録画の設定不可である旨がユーザに提示される。具体的には、ステップＳ８でＮｏの場合には同時録画不可である旨が表示され、ステップＳ１０でＮｏの場合は残量不足の旨の警告が表示される。そして、制御は上述のステップＳ１６に進む。
【００８０】
このように構成することによって、情報記録再生装置Ａｒｐ１において、予約録画が設定されているものの、録画予約の重複数制限や、記録媒体の残容量制限のために、設定無効の警告表示がされている状況においても、可能な限りユーザの意志を尊重することを図っている。つまり、ユーザが新規に録画予約を設定した時点では、その予約を実行することは不可能な状態であっても、時間の経過とともにそのような状況は改善される可能性がある。具体的には、既に実行中あるいは予約登録済みの別の録画が実行されて完了したり、設定が取り消されたりすることによって重複数が減少することがある。さらに、録画済データの削除により残容量が増加することがある。ステップＳ８およびＳ１０によって、このような録画条件の改善を検出して、録画予約設定の最適化が行われる。
【００８１】
図６に示すフローチャートを参照して、情報記録再生装置Ａｒｐ１から残容量検出器１００１ａを取り除いた場合の録画予約動作について説明する。なお、この場合の情報記録再生装置Ａｒｐ１の構成は、図１に示すブロック図から残容量検出器１００１ａと共に登録録画予約情報Ｉｒｒを除いた状態である。この場合の録画予約動作も、図５に示したフローチャートから、ステップＳ６およびステップＳ１０を除かれると共に、ステップＳ２２およびステップＳ２４がそれぞれステップＳ２２ｒおよびステップＳ２４ｒに置き換えられる。
【００８２】
結果、ステップＳ２２ｒにおいて、重複可能な同時録画能力まで録画予約が設定される。ステップＳ２４ｒにおいて、表示器１０２に同時録画不可である旨が表示される。
【００８３】
図７に、新規記録設定情報入力器１００で入力できる項目と入力手段を模式的に示す。つまり、新規記録設定情報入力器１００は、録画予約設定部Ａｓａに示された録画日設定エリア１２、放送チャンネル設定エリア１３、録画開始時刻設定エリア１４、録画終了時刻設定エリア１５、録画モード設定エリア１６、ステップＳ８からＳ２４で構成される設定最適化手段をそなえる。なお、録画メディア設定エリア１７は後述する第２の実施形態において利用される。
【００８４】
次に、図８に示すフローチャートを参照して、録画予約変更処理動作について説明する。先ず、ステップＳ２０２において、録画予約設定画面１ａが表示される。そして、ユーザに対して、録画予約設定のため入力が促される。
【００８５】
ステップＳ２０４において、録画予約設定表示指定ポインタ２０ａがユーザにより、録画予約操作エリア７ａ上の既に録画予約されている部分にフォーカスされると、ポップアップメニュー３０ａが表示される。なお、ユーザは必要に応じて、横スクロールバー９および縦スクロールバー１０を操作して、所望の録画予約部分に録画予約設定表示指定ポインタ２０ａをフォーカスする。そして、ユーザに対して、ポップアップメニュー３０ａの各エリアに対する入力が促される。
【００８６】
ステップＳ２０６において、ポップアップメニュー３０ａの各エリアに対する入力後の適用ボタン４０操作検出の有無が判断される。適用ボタン４０の操作が検出された時点で、制御は次のステップＳ２０８に進む。
【００８７】
ステップＳ２０８において、ポップアップメニュー３０ａに設定入力された録画予約設定情報が録画予約操作エリア７ａ上に反映される。
【００８８】
ステップＳ２１０において、ステップＳ２０８で反映された録画予約設定情報に基づいて、録画予約設定表示８が録画予約操作エリア７ａ上に表示される。なお、重複予約されている場合には、録画予約操作エリア７ａの形態をそれぞれ変形させて表示される。そして、本サブルーチンは終了する。
【００８９】
図９に、記録設定情報表示器１００２を実現する構成を模式的に示す。同図に示す種々の手段から、記録設定情報表示器１００２を構成することができる。
【００９０】
上述のように、第１の実施形態にかかる情報記録再生装置は以下に述べる特徴を有している。
【００９１】
新規録画予約設定エリアを設けることにより、予約表でのリモコンやマウス等を使用した座標上での新規録画予約エリア指定よりも新規録画予約を明確に確実に登録することが出来るという優れた効果を奏する。
【００９２】
毎週設定と平日設定ができることにより容易に規則性のある番組録画予約操作が出来る。
【００９３】
電子番組表と連動させて検索設定ができることにより容易に録画したい番組が設定でき、また番組録画予約したい番組を見落とすことがなく設定することが出来るという優れた効果を奏する。
【００９４】
従来の方法ではコピー操作は新規入力とまったく同様にしかできないため、コピーボタンにより面倒な同様および類似設定内容の番組録画予約設定を容易に快適に設定することが出来るという優れた効果を奏する。
【００９５】
万一重複予約設定してしまった場合は、録画予約設定表示の表示色を通常の予約設定と変えたり、点滅させたり、表示形状を変えたりして注意を促し、また前表示ボタンと次表示ボタンにより重複設定内容を確認することで、録画予約設定表示を少しずらせて重ねて表示する方法も考えられるが、重複予約が多い場合は非常に見づらくなることを防止することが出来るという優れた効果を奏する。
【００９６】
重複予約等表示が重なっている場合はその個数を表示することで認識を高めることが出来るという優れた効果を奏する。
【００９７】
カーソルのフォーカス時の動作として、単にフォーカスがあたっていることを通常の表示色と変えたり、点滅させたり、表示形状を変えたりして表示上示し、メニューボタン等でポップアップ表示を出しても良く、フォーカス時に自動的にポップアップ表示を出しても良く、これらの動作をユーザの設定で変更するようにすることで、自動ポップアップ表示をユーザの好みで選択でき、自動表示のうるささや親切さといった個人の好みで快適な操作が出来るという優れた効果を奏する。
【００９８】
横スクロールバーを設けることで日付方向、縦スクロールバーを設けることで時間方向の表示をより詳細に表示することができ、一方週単位や月単位の大雑把な録画予約設定の概略状況を見たい場合は表示範囲を変更できるメニューを設けることで一目で所望の状況を把握できる機能を提供することが出来るという優れた効果を奏する。
【００９９】
ポップアップ表示のメニューの中に電子番組表へ移行するボタンを設けることで、電子番組表での予約選択を実行することでポップアップ表示への設定内容を反映させ、各種電子番組表の番組タイトルやステレオ等の情報データも設定記録できるようにすることで、各種録画データの入力が容易にすることが出来るという優れた効果を奏する。
【０１００】
番組録画予約実行が終了したものと実行中のものと実行されていないものの録画予約設定表示の表示色を変えたり、点滅させたり、表示形状を変えたりすることで容易に録画予約実行状態を把握することが出来るという優れた効果を奏する。
【０１０１】
番組録画予約において実行終了したものは実行終了後すぐに録画予約設定表示を消去することで、予約表を見易くすることができ、また予約設定データも消去することで機器のメモリ節約をすることが出来るという優れた効果を奏する。
【０１０２】
番組録画予約において実行終了したものは一定期間後に消去することで、最近の番組録画予約情報を確認することができ、かつ機器のメモリ節約をすることが出来るという優れた効果を奏する。
【０１０３】
番組録画予約において実行終了したものはユーザが確認して消去することで、さらにユーザの実行した内容のメモ機能も実現でき、かつ機器のメモリ節約をすることが出来るという優れた効果を奏する。
【０１０４】
さらに、物理的には単一の記録装置でありながら、マルチタスク処理により、仮想的に複数の記録装置のごとく利用することにより、情報記録再生装置のリソースを余すことなく有効に利用できるという優れた効果を有する。また、リソースの限度まで予約録画設定される場合にも、その時点で可能な限りの重複数および録画時間で予約を受け付け、リソース状態が改善された時点でより多くの重複数および録画時間で予約を受け付け直すことができる。つまり、リソースの変化に動的に対応して、できるだけユーザの要望を満たすことが出来るという優れた効果を奏する。
【０１０５】
（第２の実施形態）
以下に、図１０〜図１９を参照して、第２の実施形態にかかる情報記録再生装置について説明する。本実施形態にかかる情報記録再生装置は記録装置を１つ以上備えると共に、ネットワークや配線を介して他の録画装置に接続されている。このようなものとしては、ＬＡＮで複数のレコーダに接続されているテレビ等が当てはまる。
【０１０６】
図１０に本発明の実施の形態にかかる情報記録再生装置の構成を示す。情報記録再生装置Ａｒｐ２は、図１に示した情報記録再生装置Ａｒｐ１において、記録設定情報記憶器１０１ａ、情報記録制御器１０３ａ、重複設定検出器１０００ａ、および残容量検出器１００１ａがそれぞれ、記録設定情報記憶器１０１ｂ、情報記録制御器１０３ｂ、重複設定検出器１０００ｂ、および残容量検出器１００１ｂに交換されている。そして、ＮＷ機器記録設定情報送受信器２０００、ＮＷ機器設定情報記憶器２００１、ＮＷ機器残容量検出器２００２、ＮＷ機器記録再生制御器２００３、およびＮＷ機器記録再生制御信号送受信器２００４が新たに設けられている。
【０１０７】
ＮＷ機器記録設定情報送受信器２０００は、ネットワーク等を介して接続されている外部の記録装置と予約録画設定情報Ｉｒｎを交換する。
【０１０８】
ＮＷ機器設定情報記憶器２００１は、ＮＷ機器記録設定情報送受信器２０００を介して、外部の記録装置に設定されている外部録画予約情報Ｉｒｎを受信して、記録しているデータベースである。ＮＷ機器設定情報記憶器２００１は、重複設定検出器１０００ｂから出力される外部予約状況データ要求コマンドＣｒｎに応答して、外部録画予約情報Ｉｒｎを重複設定検出器１０００ｂに出力する。
【０１０９】
ＮＷ機器残容量検出器２００２は、ＮＷ機器記録設定情報送受信器２０００を介して、外部の記録装置の記録媒体の使用可能な記憶容量を示す外部残容量情報Ｉｒｖｎを受信して格納する。
【０１１０】
ＮＷ機器記録再生制御器２００３は、外部の記録装置に対して、記録および再生を指示する記録再生指示出力Ｃｒｐｏを生成する。そして、記録再生指示出力ＣｒｐｏはＮＷ機器記録再生制御信号送受信器２００４を介して、当該外部の記録装置に出力される。ＮＷ機器記録再生制御器２００３は、さらに、外部の記録装置からの情報記録再生装置Ａｒｐ２に対する指示である記録再生指示入力Ｃｒｐｉを受信する。
【０１１１】
記録設定情報記憶器１０１ｂは、記録設定情報記憶器１０１ａの機能に加えて、録画予約情報データベースが更新されると、その内容を知らせる更新通知Ｎｒ１をＮＷ機器記録設定情報送受信器２０００に出力する機能を有している。
【０１１２】
重複設定検出器１０００ｂは、重複設定検出器１０００ａの機能に加えて、ＮＷ機器設定情報記憶器２００１に対して、ネットワークを介して接続されている記録装置に対する録画予約情報を要求する外部予約状況データ要求コマンドＣｒｎを出力する機能を有している。なお、重複設定検出器１０００ｂは、予約データＩｒと外部録画予約情報Ｉｒｎに基づいて、重複設定の発生の有無を判断する。
【０１１３】
残容量検出器１００１ｂは、残容量検出器１００１ａの機能に加えて、記録再生器１０４の残容量が変化すると、その内容を知らせる容量変化通知Ｎｒ２をＮＷ機器記録設定情報送受信器２０００に出力する機能を有している。
【０１１４】
ＮＷ機器記録設定情報送受信器２０００は、残容量検出器１００１ｂから更新通知Ｎｒ１を受信すると、ＮＷ機器残容量検出器２００２のデータベースを更新する。さらに、ＮＷ機器記録設定情報送受信器２０００は、新規記録設定情報入力器１００ｂから容量変化通知Ｎｒ２を受信すると、ＮＷ機器残容量検出器２００２のデータベースを更新する。
【０１１５】
情報記録再生装置Ａｒｐ２は、好ましくは複数の録画再生機器がネットワークを介して接続されて構成される。外部のインターネットと接続するためのネットワークアダプタも情報記録再生装置Ａｒｐ２に接続されている。なお、通信ネットワークは、イーサネット（登録商標）、光ファイバー、無線、および同軸ケーブル等のＬＡＮやＩＥＥＥ１３９４インターフェース機器やモデムによる接続であっても良い。
【０１１６】
また、ネットワークアダプタを介して外部と接続する手段としては、電話回線、ＡＤＳＬ、他のＤＳＬ、光ファイバーのＦＴＴＨ、ＣＡＴＶ、携帯電話やＰＨＳ等の無線や、電灯線でも良い。
【０１１７】
図１１および図１２を参照して、情報記録再生装置Ａｒｐ２における録画予約設定について説明する。図１１に、表示器１０２に表示される録画予約設定画面１ｂを模式的に示す。録画予約設定画面１ｂは、図２に示した録画予約設定画面１ａにおいて、録画予約状況表Ｔｒａ、録画予約操作エリア７ａ、および録画予約設定部Ａｓａがそれぞれ、録画予約状況表Ｔｒｂ、録画予約操作エリア７ｂ、および録画予約設定部Ａｓｂに交換されている。さらに、録画機器表示部４（図中では、「機器」と表示）およびメディア表示部５（図中では、「ドライブ」と表示）が追加されている。
【０１１８】
録画機器表示部４には、情報記録再生装置Ａｒｐ２にネットワーク或いは直接接続されて、録画予約に利用できる外部の録画機器が表示される。本例においては、録画機器として、ＢＤ１、ＤＶＤ１、およびＥＸＴの３つに対して録画予約できることが示されている。
【０１１９】
メディア表示部５には、録画機器表示部４に表示されている録画機器のそれぞれで、実際に情報が記録されるメディアが表示される。本例においては、録画機器ＢＤ１では、ＢＤ（Ｂｌｕｅ  Ｒａｙ  Ｄｉｓｃ）およびＨＤＤ（Ｈａｒｄ  Ｄｉｓｃ  Ｄｒｉｖｅ）が含まれ、ＤＶＤ１にはＤＶＤとＨＤＤが含まれ、ＥＸＴにはインターネットで接続される記録装置Ｓ１およびＳ２が含まれている。
【０１２０】
録画予約操作エリア７ｂは、基本的に上述の録画予約操作エリア７ａと同じである。しかし、録画予約操作エリア７ａでは情報記録再生装置Ａｒｐ１に組み込まれた１つの記録装置が対象であるのに対して、録画予約操作エリア７ｂでは情報記録再生装置Ａｒｐ２に組み込まれた記録装置にとどまらず、ネットワークや配線で接続される複数の記録装置を対象にしている点が異なる。
【０１２１】
録画予約設定表示指定ポインタ２０ｂは、録画予約操作エリア７ｂ上の特定の部分を指定することによって、当該部分に対応する設定内容を録画予約設定部Ａｓｂに表示させるものである。本例においては、５日（月曜日）の、８時３０分から１１時００分までの録画機器ＤＶＤレコーダ（ＤＶＤ１）の記録メディアＤＶＤに録画予約が設定された部分が指定されている。録画予約設定部Ａｓｂには、これらの設定情報に加えて、更に詳細な情報が表示されているが、これについては後ほど図１２を参照して詳述する。
【０１２２】
録画予約設定部Ａｓｂは、録画予約設定部Ａｓａに対して、録画メディア設定エリア１７、および録画機器設定エリア１８が新たに設けられている。録画メディア設定エリア１７は、メディア表示部５に詳細に表示されているドライブの内で所望のものの選択に使用される。録画機器設定エリア１８は、録画機器表示部４に示されている機器の内で所望のものの選択に使用される。本例においては、メディア表示部５には、機器としてはＤＶＤ１が選択され、記録メディアとしてもＤＶＤが選択されている。
【０１２３】
図１２に、情報記録再生装置Ａｒｐ２において、録画予約設定表示指定ポインタ２０ｂによって、録画予約状況表Ｔｒｂの所望の録画予約部分を指定した際に表示されるポップアップメニュー３０ｂを示す。
【０１２４】
録画予約設定部Ａｓｂの録画機器設定エリア１８には、番組を録画する機器を設定入力する。本例においては、ＤＶＤ記録器であるＤＶＤレコーダ（ＤＶＤ１）が選択される。録画メディア設定エリア１７には、録画機器設定エリア１８で設定された機器が内蔵する録画機器で使用できる。録画メディアが選択される。本例においては、ＤＶＤ−ＲＡＭが選択される。
【０１２５】
図１３を参照して、ポップアップメニュー３０ｂについて説明する。ポップアップメニュー３０ｂは、図４に示したポップアップメニュー３０ａに対して、録画機器エリア３５ａおよび録画メディア設定エリア３６ａがそれぞれ、録画機器設定エリア３５ｂおよび録画メディア設定エリア３６ｂに置き換えられている。これは、情報記録再生装置録画予約設定画面１ａにおいては、録画機器および録画メディアは選択できなかったのに対して、本実施形態においてはそれぞれ選択できることに対応するものである。
【０１２６】
ポップアップメニュー３０ｂに含まれる各種機能を利用した録画予約設定の変更方法について具体的に説明する。例えば、ユーザが録画予約設定表示指定ポインタ２０ｂを、８月５日のＤＶＤ１のＤＶＤレコーダにおける８：３０から１１：００の録画予約設定部分に移動させると、ポップアップメニュー３０ｂが表示される。ポップアップメニュー３０ｂ上で各設定を変更した後に、適用ボタン４０を実行することで設定が反映され設定内容に応じた日時、機器、メディアの予約設定エリアへ表示が移行する。
【０１２７】
適用する前に各設定を元に戻す場合は、戻ボタン４１を実行することでポップアップメニュー３０ｂ内の表示が元に戻る。毎週設定ボタン３８を実行すれば、毎週月曜日にＤＶＤ１のＤＶＤレコーダに８：３０から１１：００まで２チャンネルの番組がＳＰモードで予約設定される。平日設定ボタン３９を実行すれば毎週月曜日から金曜日にＤＶＤ１のＤＶＤレコーダに８：３０から１１：００まで２チャンネルの番組がＳＰモードで予約設定される。毎週設定と平日設定において何週間分が自動的に予約されるかはシステムで固定としても良いし設定できるようにしても良い。
【０１２８】
なお、上述の録画予約の変更の動作について、以下により詳しく説明する。予約していた番組放送の延長が発生した場合、例えば、図１１において、５日のＤＶＤ１のＨＤＤの１２時００分から１４時３０分までの予約が１５：００まで延長された場合に、先に予約されている１４時００分から１４：３０の予約を、未予約のＢＤ１のＢＤやＨＤＤ、ＥＸＴのＳ１に録画予約設定変更することが可能である。このように、設定変更できる録画機器の候補が複数ある場合には、その優先順位を情報記録装置のシステムで標準ルールとして決めても良く、ユーザが設定できるようにしても良い。例えば、優先順位が高い順に、変更対象となる機器が複数の録画機器であれば、同じ機器内の異なる録画機器、次に、ネットワーク接続された機器の同じ種類の録画機器、ネットワークアドレスの小さい順に設定される。
【０１２９】
図１９に、図１０に示した情報記録再生装置における記録機器の選択優先時の一例を示す。同例においては、それぞれの記録機器が使用あるいは選択されていないことを条件に、以下の順位で選択される。先ず、ＢＤ１のＨＤＤ、その次にＤＶＤ１のＨＤＤ、そして、ＥＸＴのＳ１、ＢＤ１のＢＤ、ＥＸＴのＳ２、そしてＤＶＤ１のＤＶＤの順番で優先的に選択される。
【０１３０】
図１９に示すように、ネットワーク接続機器およびその録画機器一覧から直接順番をユーザが設定できるようにしても良い。前記の変更や延長がポップアップメニュー３０ｂ上での適用ボタン４０を実行するユーザ操作による人為的なものであっても同様の動作を行う。
【０１３１】
同様に録画予約設定部Ａｓｂに、最低限録画日、開始時間、終了時間、チャンネルを入力して登録ボタン１９を実行すれば、前記優先順位にしたがって録画予約設定される。優先順位は前記のものと同様でも場合により別にルールを持っても良い。最低限の情報入力の場合、機器とメディアは前記ルールにしたがって自動設定される。さらに録画機器や機器の指定を追加すると、ルールに条件追加して自動設定される。
【０１３２】
入力された日時において機器や録画機器の指定をして登録実行する。また、ポップアップメニュー３０ｂで設定変更したものが、すでに設定されていた機器や録画機器に重複していた場合、例えば、図１１において、録画予約設定部Ａｓｂに５日のＤＶＤ１のＤＶＤの９：００から１０：００までの予約を登録実行する場合を考える。この場合、ＤＶＤ１のＤＶＤにはすでに８：３０から１１：００まで予約が入っており、もしこの予約が録画機器指定された予約でなかった場合、この予約をＤＶＤ１のＨＤＤへ変更して前記登録実行した予約を設定する。
【０１３３】
したがって、録画予約設定時の項目の属性にユーザからの明示的な指定があったかどうかの情報を持たせておくことになる。また、５日のＤＶＤ１のＨＤＤの１２時００分から１４時３０分までの予約をポップアップメニュー３０ｂ上でＢＤに変更すればＥＸＴのＳ１およびＳ２は予約されているので、ＢＤ１のＢＤへ設定変更される。このように、機器やシステムが自動的に空いているところを検索して設定するので、録画予約設定を簡便に行うことができる。重複している場合も複数の機器の録画予約状況を１台毎調べまわって最適なものをユーザが判断して再設定しなおすことなく、決められた優先順位ルールで機器やシステムが自動的に再設定してくれるので、録画予約設定を簡便に行うことができる。
【０１３４】
各機器において、ＨＤＤやＤＶＤレコーダなどの録画機器を複数備えたハイブリッド機器において、複数の録画機器を同時に動作させることによって、重複した複数の録画予約を可能にする。結果、重複した複数の録画予約が生じても、本発明においては、そのような録画予約状況が非常に分かり易く表示される。
【０１３５】
また、実行中のものは、録画中に同時再生することもできる。なお、ポップアップ表示には詳細表示として録画内容、録画日時、録画時間、データ容量、録画モード、録画映像・音声情報等を表示するボタンを設けても良い。
【０１３６】
上述のように、本実施形態にかかる情報記録再生装置Ａｒｐ２は互いにネットワークで接続されて、情報記録を代行し合う機能を有している。このような場合、一方が他方の予約管理を行うマスター機とスレーブ機の関係が生じる。上述の図１０に示した情報記録再生装置Ａｒｐ２は、マスター機として機能する場合の構造を示している。スレーブ機として機能するためには、マスター機として機能する場合には不要な機能があるので、より簡単に構成することができる。
【０１３７】
図１４に、スレーブ機としての情報記録再生装置Ａｒｐ２の構造を示す。なお、マスター機としての情報記録再生装置Ａｒｐ２と区別するために、スレーブ機は情報記録再生装置Ａｒｐ２Ｓと称する。情報記録再生装置Ａｒｐ２Ｓは、情報記録再生装置Ａｒｐ２からＮＷ機器設定情報記憶器２００１およびＮＷ機器残容量検出器２００２が削除されている。これは、スレーブ機である情報記録再生装置Ａｒｐ２Ｓは、他の情報記録再生装置Ａｒｐ２に関する外部録画予約情報Ｉｒｎおよび外部残容量情報Ｉｒｖｎを所有する必要がないからである。
【０１３８】
次に、図１５に示すフローチャートを参照して、情報記録再生装置Ａｒｐ２Ｓにおける予約録画動作について説明する。なお、説明の簡便化のために、情報記録再生装置Ａｒｐ２Ｓから、残容量検出器１００１ｂおよびＮＷ機器残容量検出器２００２が取り除かれた場合を例に説明する。この意味において、図１５に示すフローチャートは、情報記録再生装置Ａｒｐ１自身の記録再生器１０４を対象としている図６に示したフローチャートにおけるステップＳ２、Ｓ４、Ｓ８、Ｓ１２、Ｓ１４、Ｓ１６、Ｓ１８、Ｓ２０、Ｓ２２ｒ、およびＳ２４ｒがそれぞれ、他の情報記録再生装置Ａｒｐ２の記録再生器１０４も対象とするＳ２ｂ、Ｓ４ｂ、Ｓ８ｂ、Ｓ１２ｂ、Ｓ１４ｂ、Ｓ１６ｂ、Ｓ１８ｂ、Ｓ２０ｂ、Ｓ２２ｒｂ、およびＳ２４ｒｂに交換されている。つまり、本実施形態においては、予約データＩｒと外部録画予約情報Ｉｒｎに代表される２つの情報記録再生装置Ａｒｐ２に関する設定条件が処理対象である。
【０１３９】
なお、ステップＳ１４ｂとステップＳ１６ｂの間に、ステップＳ１５が追加されている。同ステップにおいては、情報記録再生装置Ａｒｐ１に接続されている他の予約記録装置に対して登録録画予約情報Ｉｒｒが通知される。これによって、互いに接続される２つ以上の予約記録装置の間で互いに、他方の予約録画を代行できる。
【０１４０】
図１６に示すフローチャートを参照して、マスター機としての情報記録再生装置Ａｒｐ２の予約録画動作について説明する。本フローチャートは、図１５に示したフローチャートにおいて、ステップＳ１５とステップＳ１６ｂをステップＳ１５ｍで置き換えたものである。ステップＳ１５ｍでは、情報記録再生装置Ａｒｐ２自身に対しては登録録画予約情報Ｉｒｒで設定されている予約録画を逐次実行すると共に、外部の記録装置（スレーブとしての情報記録再生装置Ａｒｐ２Ｓ）に対しては、記録再生指示出力Ｃｒｐｏを予約録画実行コマンドとして送信する。このようにして、マスターとしての情報記録再生装置Ａｒｐ２は、自身の記録能力および外部の記録装置（スレーブとしての情報記録再生装置Ａｒｐ２Ｓ）の能力も利用して情報の予約記録を行う。
【０１４１】
図１７に、情報記録再生装置Ａｒｐ２がインターネットを介して、他の記録装置に接続される場合の構造を示す。この情報記録再生装置Ａｒｐ２ｎは、図１０に示した情報記録再生装置Ａｒｐ２に、ＮＷ機器記録設定情報送受信器２０００、ＮＷ機器記録再生制御信号送受信器２００４、およびＮＷ機器ＡＶ受信器１００５が公衆回線網ＮＷに接続されている。そして、この公衆回線網ＮＷを介して、外部の記録装置の外部録画予約情報Ｉｒｎ、外部残容量情報Ｉｒｖｎ、記録再生指示入力Ｃｒｐｉ、記録再生指示出力Ｃｒｐｏ、およびＡＶデータＤａｖを交換して、互いに予約記録の代行を行う。
【０１４２】
図１８に、上述のように複数の記録装置がネットワークを介して接続される情報記録再生装置Ａｒｐ２の具体的な構成例を模式的に示す。情報記録再生装置Ａｒｐ２は、好ましくは複数の録画再生機器がネットワークを介してテレビジョン装置２５に接続されて構成される。テレビジョン装置２５（図１８では、「ＴＶ」と表示）は、通信ネットワーク２７を介して、２台のブルー・レイ・ディスク・レコーダ（図１８では、「ＢＤ１」および「「ＢＤ２」と表示）２１および２３と接続されている。さらに、ＤＶＤレコーダ２２（図１８では、「ＤＶＤ１」と表示）およびパーソナルコンピュータ２４も同様にテレビジョン装置２５に接続されている。
【０１４３】
この場合、好ましくは、パーソナルコンピュータ２４が、マスター機として機能し、他の装置はスレーブ機として機能するように構成される。
【０１４４】
さらに、外部のインターネットと接続するためのネットワークアダプタ２６もテレビジョン装置２５に接続されている。なお、通信ネットワーク２７は、イーサネット（登録商標）、光ファイバー、無線、および同軸ケーブル等のＬＡＮやＩＥＥＥ１３９４インターフェース機器やモデムによる接続であっても良い。また、ネットワークアダプタ２６は外部の接続が電話回線、ＡＤＳＬ、他のＤＳＬ、光ファイバーのＦＴＴＨ、ＣＡＴＶ、携帯電話やＰＨＳ等の無線や、電灯線でも良い。
【０１４５】
情報記録再生装置Ａｒｐ２および録画機器は、ＤＶＤレコーダ、ブルー・レイ・ディスク・レコーダ、ハードディスクレコーダ、ビデオテープレコーダ、パーソナルコンピュータ等の録画が可能な機器を用いることができる。そして、録画メディアとしては、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ等の光ディスク、ハードディスク、ＳＤカード等の各種メモリーカード、およびＤ−ＶＨＳやＳ−ＶＨＳやＤＶ等のビデオテープ等のあらゆる記録媒体を用いることができる。
【０１４６】
上述のように、第２の実施形態にかかる情報記録再生装置は、第１の実施形態にかかる情報記録再生装置における特徴に加えて、以下に述べる特徴を有している。
【０１４７】
各機器において、録画機器を複数持ったハイブリッド機器においては録画機器を同時動作できるようにして重複した複数予約ができたり、録画機器が１つの機器においても、例えばＲＡＭ動作可能な光ディスクのピックアップやハードディスクの磁気ヘッドを俊敏に動作させる効率の良いデータ書き込みアルゴリズムにより並列処理動作させて複数データ記録を実現させたりすることにより、録画機器性能を向上させて重複した複数予約が出来るという優れた効果を奏する。
【０１４８】
また、このような複数録画機器を持った機器においては、従来の表形式の録画予約方法では非常にわかりづらいものになり、従来の電子番組表からの録画予約方法においても番組単位の予約はできるが自由な時間設定は行えず、複数機器の予約には対応できず、電子番組表による番組の羅列よりも日時のスケジュール的な予約設定のほうが機器の動作状況の把握がすばやく出来るという優れた効果を奏する。
【０１４９】
予約表中に複数録画機器の各録画機器および複数同時記録が可能な録画機器の同時記録可能数を表示して設定できるようにすることで、容易に一目で見て番組録画予約状況が把握できて、その機器が持っている複数番組同時録画機能を最大限活用することができ、無駄な重複番組録画予約をすることもなくなるという優れた効果を奏する。
【０１５０】
予約表中にネットワーク接続された複数の録画機器を表示できるようにすることで、容易に一目で見て番組録画予約状況が把握でき、デジタル放送が普及するにつれてアナログ放送も含め多チャンネルとなってくるため、同じ時間帯に複数の録画予約設定を行いたい場合でも、複数録画機器での録画予約設定のみならず複数機器をネットワークで接続して録画予約設定を一元管理することで漏れのない重複のない効率的な録画予約設定を行うことが出来るという優れた効果を奏する。
【０１５１】
また、前記設定は１つの機器から行っても良く、ネットワークに接続されたパーソナルコンピュータから行っても良い。また、インターネット等外部からネットワークにアクセスして、外部のパーソナルコンピュータや携帯情報端末や携帯電話や有線電話を利用して行っても良い。結果、番組録画予約を忘れていたことを外出先で気がついたり、新たな録画したい番組が発生した場合にでも番組録画予約設定出来るという優れた効果を奏する。
【０１５２】
予約したい番組設定情報を設定すれば、自動的にネットワークに接続された録画機器の録画設定状況から最適な録画機器に録画予約設定を行うこともでき、詳細に考えることなく容易に番組録画予約設定することが出来るという優れた効果を奏する。
【０１５３】
自動番組録画予約再設定により、現状の各機器の設定状況で追加予約したい番組設定情報が実現困難な場合には、番組と機器の録画機器選択の組み合わせに起因する、処理負荷や残容量等によるハードウェアのリソース配分を最適化するよう録画予約設定を再構築することも出来るという優れた効果を奏する。
【０１５４】
自動番組録画予約設定により、新規録画予約設定において最低限録画日設定と録画開始時刻設定と録画終了時刻設定と放送チャンネル設定を設定しておけば機器やシステムで自動的に最適な録画予約を行うことも出来るという優れた効果を奏する。
【０１５５】
自動警告通報により、リムーバブルメディアの録画予約実行時間が近づいて、トレイにメディアが挿入されていなかったり、ハードディスク録画機器でも同様であるがメディアの残量が足りない場合には、警告表示を行ったり警告メールをネットワークに接続された他の機器やパーソナルコンピュータやさらには外部の携帯電話やパーソナルコンピュータ等に送信することもでき、大切な番組録画予約を失敗することがなくなるという優れた効果を奏する。
【０１５６】
前記に加え、エラー時自動回避により、他の録画機器メディアや他の機器のメディアに番組録画予約設定変更を自動的に出来るという優れた効果を奏する。
【０１５７】
実行終了したものはメディアが再生動作可能ならば録画予約設定表示から選択実行することができ、実行中のものは録画中同時再生することもでき、またポップアップメニューで機器と録画機器を指定しての再生も削除もダビングも行うことが出来るという優れた効果を奏する。
【産業上の利用可能性】
【０１５８】
本発明は、ネットワークなどを介して接続された複数の記録装置の間で、お互いの予約録画を代行することによって、お互いに有休のリソースを有効利用した予約録画等に利用できる。
【図面の簡単な説明】
【０１５９】
【図１】本発明の第１の実施の形態にかかる情報記録再生装置の構成を示すブロック図
【図２】図１に示した情報記録再生装置における録画予約設定画面の一例を示す図
【図３】図２に示した録画予約設定画面で、予約されている部分を指定したときにポップアップメニューが表示される様子を示す図
【図４】図３に示したポップアップメニューの拡大図
【図５】図１に示した情報記録再生装置における録画予約動作を示すフローチャート
【図６】図１に示した情報記録再生装置における、記録媒体の残容量を検出しない場合の録画予約動作を示すフローチャート
【図７】図１に示した新規記録設定情報入力器に含まれる要素の一例を示す図
【図８】図１に示した情報記録再生装置における、録画予約変更処理動作を示すフローチャート
【図９】図１に示した情報記録再生装置における、記録設定情報表示器に含まれる要素の一例を示す図
【図１０】本発明の第２の実施の形態にかかる情報記録再生装置の構成を示すブロック図
【図１１】図１０に示した情報記録再生装置における録画予約設定画面の一例を示す図
【図１２】図１０に示した録画予約設定画面で、予約されている部分を指定したときにポップアップメニューが表示される様子を示す図
【図１３】図１２に示したポップアップメニューの拡大図
【図１４】図１０に示した情報記録再生装置がスレーブ機として機能する際の必要な構成を示すブロック図
【図１５】図１０に示した情報記録再生装置の録画予約動作を示すフローチャート
【図１６】図１０に示した情報記録再生装置がマスター機として機能する際の録画予約動作を示すフローチャート
【図１７】図１４に示した情報記録再生装置の録画予約動作を示すフローチャート
【図１８】図１０に示した情報記録再生装置の模式的構成図
【図１９】図１０に示した情報記録再生装置における記録機器の選択優先順位の一例を示す図
【符号の説明】
【０１６０】
Ａｒｐ１、Ａｒｐ２、Ａｒｐ２Ｓ 情報記録再生装置
Ｔｒａ、Ｔｒｂ 録画予約状況表
Ａｓａ、Ａｓｂ 録画予約設定部
１ａ、１ｂ 録画予約設定画面
３ 日付表示部
４ 録画機器表示部
５ メディア表示部
６ 時間表示部
７ａ、７ｂ 録画予約操作エリア
８ 録画予約設定表示
９ 横スクロールバー
１０ 縦スクロールバー
１２ 録画日設定エリア
１３ 放送チャンネル設定エリア
１４ 録画開始時刻設定エリア
１５ 録画終了時刻設定エリア
１６ 録画モード設定エリア
１７ 録画メディア設定エリア
１８ 録画機器設定エリア
１９ 登録ボタン
２０ａ、２０ｂ 録画予約設定表示指定ポインタ
２４ パーソナルコンピュータ
２５ テレビジョン装置
２６ ネットワークアダプタ
２７ 通信ネットワーク
３０ａ、３０ｂ ポップアップメニュー
３１ 録画日設定エリア
３２ 録画開始時刻設定エリア
３３ 録画終了時刻設定エリア
３４ 放送チャンネル設定エリア
３５ａ、３５ｂ 録画機器エリア
３６ａ、３６ｂ 録画メディアエリア
３７ 録画モード設定エリア
３８ 毎週設定ボタン
３９ 平日設定ボタン
４０ 適用ボタン
４１ 戻ボタン
４２ 削除ボタン
４３ コピーボタン
４４ 前表示ボタン
４５ 次表示ボタン
１００ 新規記録設定情報入力器
１０１ａ、１０１ｂ 記録設定情報記憶器
１０２ 表示器
１０３ａ、１０３ｂ 情報記録制御器
１０４ 記録再生器
１０００ａ、１０００ｂ 重複設定検出器
１００１ａ、１００１ｂ 残容量検出器
１００２ 記録設定情報表示器
１００３ チューナ
１００４ ＡＶデータ制御器
１００５ ＮＷ機器ＡＶ受信器
２０００ ＮＷ機器記録設定情報送受信器
２００１ ＮＷ機器設定情報記憶器
２００２ ＮＷ機器残容量検出器
２００３ ＮＷ機器記録再生制御器
２００４ ＮＷ機器記録再生制御信号送受信器
【手続補正３】
【補正対象書類名】図面
【補正対象項目名】全図
【補正方法】変更
【補正の内容】
【図１】
2004088980.tif 000022
【図２】
2004088980.tif 000023
【図３】
2004088980.tif 000024
【図４】
2004088980.tif 000025
【図５】
2004088980.tif 000026
【図６】
2004088980.tif 000027
【図７】
2004088980.tif 000028
【図８】
2004088980.tif 000029
【図９】
2004088980.tif 000030
【図１０】
2004088980.tif 000031
【図１１】
2004088980.tif 000032
【図１２】
2004088980.tif 000033
【図１３】
2004088980.tif 000034
【図１４】
2004088980.tif 000035
【図１５】
2004088980.tif 000036
【図１６】
2004088980.tif 000037
【図１７】
2004088980.tif 000038
【図１８】
2004088980.tif 000039
【図１９】
2004088980.tif 000040
【国際調査報告】
2004088980.tif 000041
2004088980.tif 000042